(57)【特許請求の範囲】
【請求項１】
データ伝送のための方法であって、
測定セット内の各セルの各サブバンドのアップリンクチャネル推定値を決定するステップであって、前記測定セット内の各セルの各サブバンドの前記アップリンクチャネル推定値は、ユーザ機器によって送信された基準信号に従って前記測定セット内の各セルによる測定を通じて取得される、ステップと、
前記測定セット内の各セルの各サブバンドの前記アップリンクチャネル推定値に従って、伝送セット内のセルによって前記ユーザ機器に送信される伝送されるべきデータストリームの、各サブバンド上の、信号対干渉雑音比(SINR)を決定するステップであって、前記伝送セットは、前記測定セットのサブセットである、ステップと、
前記伝送されるべきデータストリームの、前記サブバンド上の、前記SINRを組み合わせて前記伝送されるべきデータストリームのSINRを取得するステップと、
前記伝送されるべきデータストリームの前記SINRに従って前記伝送されるべきデータストリームの変調符号化方式(MCS)を決定し、それにより、前記伝送セット内の各セルが前記MCSに従って前記伝送されるべきデータストリームを前記ユーザ機器に送信する、ステップとを含む方法。
【請求項２】
伝送セット内のセルによって前記ユーザ機器に送信される伝送されるべきデータストリームの、各サブバンド上の、SINRを決定する前記ステップは、
前記測定セット内の各セルの各サブバンドの前記アップリンクチャネル推定値に従って、前記伝送セット内の前記セルが各サブバンド上で前記伝送されるべきデータストリームを伝送するときの有効な信号電力を決定し、前記測定セット内にあるが、前記伝送セット内にはないセルの各サブバンドの、前記伝送されるべきデータストリームに対する、干渉雑音電力を決定し、前記測定セット内にないセルの各サブバンドの、前記伝送されるべきデータストリームに対する、干渉雑音電力を決定するステップと、
前記伝送セット内の前記セルが各サブバンド上で前記伝送されるべきデータストリームを伝送するときの前記有効な信号電力と、前記測定セット内にあるが、前記伝送セット内にはないセルの各サブバンドの、前記伝送されるべきデータストリームに対する、前記干渉雑音電力と、前記測定セット内にないセルの各サブバンドの、前記伝送されるべきデータストリームに対する、前記干渉雑音電力とに従って前記伝送されるべきデータストリームの、各サブバンド上の、前記SINRを決定するステップとを含む請求項1に記載の方法。
【請求項３】
伝送セット内のセルによって前記ユーザ機器に送信される伝送されるべきデータストリームの、各サブバンド上の、SINRを決定する前記ステップは、
前記測定セット内の各セルの各サブバンドの前記アップリンクチャネル推定値に従って、前記伝送セット内の前記セルが各サブバンド上で前記伝送されるべきデータストリームを伝送するときの有効な信号シーケンスを決定し、前記測定セット内にあるが、前記伝送セット内にはないセルの各サブバンドの、前記伝送されるべきデータストリームに対する、干渉シーケンスを決定し、前記測定セット内にないセルの各サブバンドの、前記伝送されるべきデータストリームに対する、干渉雑音電力を決定するステップと、
前記伝送セット内の前記セルが各サブバンド上で前記伝送されるべきデータストリームを伝送するときの前記有効な信号シーケンスと、前記測定セット内にあるが、前記伝送セット内にはないセルの各サブバンドの、前記伝送されるべきデータストリームに対する、前記干渉シーケンスと、前記測定セット内にないセルの各サブバンドの、前記伝送されるべきデータストリームに対する、前記干渉雑音電力とに従って前記伝送されるべきデータストリームの、各サブバンド上の、前記SINRを決定するステップとを含む請求項1に記載の方法。
【請求項４】
前記測定セット内にないセルの各サブバンドの、前記伝送されるべきデータストリームに対する、干渉雑音電力を決定する前記ステップは、
前記伝送セット内の各セルによって伝送されたダウンリンクデータストリームに従って前記ユーザ機器によって取得されるチャネル品質インジケータ(CQI)情報を取得するステップと、
前記CQI情報と前記測定セット内の各セルの各サブバンドに対応する前記アップリンクチャネル推定値とに従って、前記測定セット内にない前記セルの各サブバンドの、前記ユーザ機器によってフィードバックされるダウンリンクデータストリームに対する、干渉雑音電力を決定するステップと、
前記測定セット内にない前記セルの各サブバンドの、前記ユーザ機器によってフィードバックされる前記ダウンリンクデータストリームに対する、前記干渉雑音電力に従って、前記測定セット内にない前記セルの各サブバンドの、前記伝送されるべきデータストリームに対する、前記干渉雑音電力を決定するステップとを含む請求項2または3に記載の方法。
【請求項５】
前記CQI情報は、サービングセルのダウンリンクパイロット信号と前記サービングセルを除く別のセルの干渉雑音電力とに従って算出される信号対雑音比に従って前記ユーザ機器によって取得され、
前記ユーザ機器が、伝送ダイバーシティ方式で前記CQI情報をフィードバックするときに、前記測定セット内にない前記セルの各サブバンドの、前記ユーザ機器によってフィードバックされるダウンリンクデータストリームに対する、干渉雑音電力を決定する前記ステップは、
式
【数１】
0006037058.tif 000185
に従って、前記測定セット内にない前記セルの各サブバンドの、前記ユーザ機器によってフィードバックされる前記ダウンリンクデータストリームに対する、前記干渉雑音電力を決定するステップを含むか、または
前記ユーザ機器が、閉ループモードで前記CQI情報をフィードバックするときに、前記測定セット内にない前記セルの各サブバンドの、前記ユーザ機器によってフィードバックされるダウンリンクデータストリームに対する、干渉雑音電力を決定する前記ステップは、
式
【数２】
0006037058.tif 000186
に従って、前記測定セット内にない前記セルの各サブバンドの、前記ユーザ機器によってフィードバックされる前記ダウンリンクデータストリームに対する、前記干渉雑音電力を決定するステップを含み、
測定セットμM内に合計M個のセルがあり、前記測定セット内のセル数は、m=1,2,...,Mであり、セルは、m=1のときにサービングセルであり、伝送セットμT内に合計T個のセルがあり、前記伝送セット内のセル数は、t=t1,t2,...tTであり、セルは、t=1のときにサービングセルであり、Tnumは、基地局の伝送アンテナの量であり、
【数３】
0006037058.tif 000187
は、前記サービングセルの、前記ユーザ機器によって占有されているサブバンドsb上の、前の時間の伝送電力であり、
【数４】
0006037058.tif 000188
は、前記サービングセルの、前記サブバンドsb上の、アップリンクチャネル推定値であり、
【数５】
0006037058.tif 000189
は、前記ユーザ機器の前記サービングセルのセル特有の基準信号CRSの仮想アンテナマッピング行列であり、
【数６】
0006037058.tif 000190
は、前記ユーザ機器によってフィードバックされるダウンリンクデータストリームsfbの、前記サブバンドsb上の、プリコーディングベクトルであり、
【数７】
0006037058.tif 000191
は、前記ユーザ機器によってフィードバックされる前記ダウンリンクデータストリームsfbの、前記サブバンドsb上の、
【数８】
0006037058.tif 000192
によるマッピングを通じて取得される信号対雑音比であり、
【数９】
0006037058.tif 000193
は、セルmの、前記ユーザ機器によって占有されている前記サブバンドsb上の、スケジューリングの前の時間において使用されている重みであり、
【数１０】
0006037058.tif 000194
は、前記セルmの、前記ユーザ機器によって占有されている前記サブバンドsb上の、前の時間の伝送電力であり、
【数１１】
0006037058.tif 000195
は、前記セルmの、前記サブバンドsb上の、アップリンクチャネル推定値である請求項4に記載の方法。
【請求項６】
前記CQI情報は、サービングセルのダウンリンクパイロット信号と前記測定セットの外の干渉雑音電力とに従って算出される信号対雑音比に従って前記ユーザ機器によって取得され、
前記ユーザ機器が、伝送ダイバーシティ方式で前記CQI情報をフィードバックするときに、前記測定セット内にない前記セルの各サブバンドの、前記ユーザ機器によってフィードバックされるダウンリンクデータストリームに対する、干渉雑音電力を決定する前記ステップは、
式
【数１２】
0006037058.tif 000196
に従って、前記測定セット内にない前記セルの各サブバンドの、前記ユーザ機器によってフィードバックされる前記ダウンリンクデータストリームに対する、前記干渉雑音電力を決定するステップを含むか、または
前記ユーザ機器が、TM8閉ループモードで前記CQI情報をフィードバックするときに、前記測定セット内にない前記セルの各サブバンドの、前記ユーザ機器によってフィードバックされるダウンリンクデータストリームに対する、干渉雑音電力を決定する前記ステップは、
式
【数１３】
0006037058.tif 000197
に従って、前記測定セット内にない前記セルの各サブバンドの、前記ユーザ機器によってフィードバックされる前記ダウンリンクデータストリームに対する、前記干渉雑音電力を決定するステップを含むか、または
前記ユーザ機器が、TM9閉ループモードで前記CQI情報をフィードバックするときに、前記測定セット内にない前記セルの各サブバンドの、前記ユーザ機器によってフィードバックされるダウンリンクデータストリームに対する、干渉雑音電力を決定する前記ステップは、
式
【数１４】
0006037058.tif 000198
に従って、前記測定セット内にない前記セルの各サブバンドの、前記ユーザ機器によってフィードバックされる前記ダウンリンクデータストリームに対する、前記干渉雑音電力を決定するステップを含み、
Tnumは、基地局の伝送アンテナの量であり、
【数１５】
0006037058.tif 000199
は、前記サービングセルの、前記ユーザ機器によって占有されているサブバンドsb上の、前の時間の伝送電力であり、
【数１６】
0006037058.tif 000200
は、前記サービングセルの、前記サブバンドsb上の、アップリンクチャネル推定値であり、
【数１７】
0006037058.tif 000201
は、前記ユーザ機器の前記サービングセルのCRSの仮想アンテナマッピングVAM行列であり、
【数１８】
0006037058.tif 000202
は、前記ユーザ機器によってフィードバックされるダウンリンクデータストリームsfbの、前記sb上の、プリコーディングベクトルであり、
【数１９】
0006037058.tif 000203
は、前記ユーザ機器によってフィードバックされる前記ダウンリンクデータストリームsfbの、前記サブバンドsb上の、
【数２０】
0006037058.tif 000204
によるマッピングを通じて取得される信号対干渉雑音比であり、
【数２１】
0006037058.tif 000205
は、前記サービングセルのチャネル状態情報基準信号CSI-RSのVAM行列である請求項4に記載の方法。
【請求項７】
前記測定セット内にないセルの各サブバンドの、前記伝送されるべきデータストリームに対する、干渉雑音電力を決定する前記ステップは、
前記測定セット内の各セルの各サブバンドの前記アップリンクチャネル推定値に従って、前記測定セット内にあるが、前記伝送セット内にない前記セルの各サブバンドの、前記伝送されるべきデータストリームに対する、前記干渉雑音電力を決定するステップと、
前記測定セット内にあるが、前記伝送セット内にない前記セルの各サブバンドの、前記伝送されるべきデータストリームに対する、前記干渉雑音電力に従って、前記測定セット内にない前記セルの各サブバンドの、前記伝送されるべきデータストリームに対する、前記干渉雑音電力を決定するステップであって、前記測定セット内にあるが、前記伝送セット内にない前記セルの各サブバンドの、前記伝送されるべきデータストリームに対する、前記干渉雑音電力と前記測定セット内にない前記セルの各サブバンドの、前記伝送されるべきデータストリームに対する、前記干渉雑音電力との比は一定である、ステップとを含む請求項2または3に記載の方法。
【請求項８】
前記伝送されるべきデータストリームのMCSを決定する前記ステップは、
前記伝送されるべきデータストリーム内の各データストリームのSINRと、SINRとMCSとの間のマッピング関係とに従って、各データストリームの前記SINRに最も近くより小さい、前記マッピング関係における、SINRに対応するMCSを各データストリームの前記SINRとして決定するステップを含む請求項1から7のいずれか一項に記載の方法。
【請求項９】
データ伝送のための装置であって、
測定セット内の各セルの各サブバンドのアップリンクチャネル推定値を決定するように構成された第1の決定ユニットであって、前記測定セット内の各セルの各サブバンドの前記アップリンクチャネル推定値は、ユーザ機器によって送信された基準信号に従って前記測定セット内の各セルによる測定を通じて取得される、第1の決定ユニットと、
前記測定セット内の各セルの各サブバンドの前記アップリンクチャネル推定値に従って、伝送セット内のセルによって前記ユーザ機器に送信される伝送されるべきデータストリームの、各サブバンド上の、信号対干渉雑音比(SINR)を決定するように構成された第2の決定ユニットであって、前記伝送セットは、前記測定セットのサブセットである、第2の決定ユニットと、
前記伝送されるべきデータストリームの、前記サブバンド上の、前記SINRを組み合わせて前記伝送されるべきデータストリームのSINRを取得するように構成された取得ユニットと、
前記伝送されるべきデータストリームの前記SINRに従って前記伝送されるべきデータストリームの変調符号化方式(MCS)を決定し、それにより、前記伝送セット内の各セルが前記MCSに従って前記伝送されるべきデータストリームを前記ユーザ機器に送信する、第3の決定ユニットとを備える装置。
【請求項１０】
前記第2の決定ユニットは、
前記測定セット内の各セルの各サブバンドの前記アップリンクチャネル推定値に従って、前記伝送セット内の前記セルが各サブバンド上で前記伝送されるべきデータストリームを伝送するときの有効な信号電力を決定し、前記測定セット内にあるが、前記伝送セット内にはないセルの各サブバンドの、前記伝送されるべきデータストリームに対する、干渉雑音電力を決定し、前記測定セット内にないセルの各サブバンドの、前記伝送されるべきデータストリームに対する、干渉雑音電力を決定し、
前記伝送セット内の前記セルが各サブバンド上で前記伝送されるべきデータストリームを伝送するときの前記有効な信号電力と、前記測定セット内にあるが、前記伝送セット内にはないセルの各サブバンドの、前記伝送されるべきデータストリームに対する、前記干渉雑音電力と、前記測定セット内にないセルの各サブバンドの、前記伝送されるべきデータストリームに対する、前記干渉雑音電力とに従って前記伝送されるべきデータストリームの、各サブバンド上の、前記SINRを決定するように特に構成される請求項9に記載の装置。
【請求項１１】
前記第2の決定ユニットは、
前記測定セット内の各セルの各サブバンドの前記アップリンクチャネル推定値に従って、前記伝送セット内の前記セルが各サブバンド上で前記伝送されるべきデータストリームを伝送するときの有効な信号シーケンスを決定し、前記測定セット内にあるが、前記伝送セット内にはないセルの各サブバンドの、前記伝送されるべきデータストリームに対する、干渉シーケンスを決定し、前記測定セット内にないセルの各サブバンドの、前記伝送されるべきデータストリームに対する、干渉雑音電力を決定し、
前記伝送セット内の前記セルが各サブバンド上で前記伝送されるべきデータストリームを伝送するときの前記有効な信号シーケンスと、前記測定セット内にあるが、前記伝送セット内にはないセルの各サブバンドの、前記伝送されるべきデータストリームに対する、前記干渉シーケンスと、前記測定セット内にないセルの各サブバンドの、前記伝送されるべきデータストリームに対する、前記干渉雑音電力とに従って前記伝送されるべきデータストリームの、各サブバンド上の、前記SINRを決定するように特に構成される請求項9に記載の装置。
【請求項１２】
前記第2の決定ユニットは、
前記伝送セット内の各セルによって伝送されたダウンリンクデータストリームに従って前記ユーザ機器によって取得されるチャネル品質インジケータ(CQI)情報を取得し、
前記CQI情報と前記測定セット内の各セルの各サブバンドに対応する前記アップリンクチャネル推定値とに従って、前記測定セット内にない前記セルの各サブバンドの、前記ユーザ機器によってフィードバックされるダウンリンクデータストリームに対する、干渉雑音電力を決定し、
前記測定セット内にない前記セルの各サブバンドの、前記ユーザ機器によってフィードバックされる前記ダウンリンクデータストリームに対する、前記干渉雑音電力に従って、前記測定セット内にない前記セルの各サブバンドの、前記伝送されるべきデータストリームに対する、前記干渉雑音電力を決定するように特に構成される請求項10または11に記載の装置。
【請求項１３】
前記CQI情報は、サービングセルのダウンリンクパイロット信号と前記サービングセルを除く別のセルの干渉雑音電力とに従って算出される信号対雑音比に従って前記ユーザ機器によって取得され、
前記ユーザ機器が、伝送ダイバーシティ方式で前記CQI情報をフィードバックするときに、前記第2の決定ユニットは、
式
【数２２】
0006037058.tif 000206
に従って、前記測定セット内にない前記セルの各サブバンドの、前記ユーザ機器によってフィードバックされる前記ダウンリンクデータストリームに対する、前記干渉雑音電力を決定するように特に構成されるか、または
前記ユーザ機器が、閉ループモードで前記CQI情報をフィードバックするときに、前記第2の決定ユニットは、
式
【数２３】
0006037058.tif 000207
に従って、前記測定セット内にない前記セルの各サブバンドの、前記ユーザ機器によってフィードバックされる前記ダウンリンクデータストリームに対する、前記干渉雑音電力を決定するように特に構成され、
測定セットμM内に合計M個のセルがあり、前記測定セット内のセル数は、m=1,2,...,Mであり、セルは、m=1のときにサービングセルであり、伝送セットμT内に合計T個のセルがあり、前記伝送セット内のセル数は、t=t1,t2,...tTであり、セルは、t=1のときにサービングセルであり、Tnumは、基地局の伝送アンテナの量であり、
【数２４】
0006037058.tif 000208
は、前記サービングセルの、前記ユーザ機器によって占有されているサブバンドsb上の、前の時間の伝送電力であり、
【数２５】
0006037058.tif 000209
は、前記サービングセルの、前記サブバンドsb上の、アップリンクチャネル推定値であり、
【数２６】
0006037058.tif 000210
は、前記ユーザ機器の前記サービングセルのCRSの仮想アンテナマッピング行列であり、
【数２７】
0006037058.tif 000211
は、前記ユーザ機器によってフィードバックされるダウンリンクデータストリームsfbの、前記サブバンドsb上の、プリコーディングベクトルであり、
【数２８】
0006037058.tif 000212
は、前記ユーザ機器によってフィードバックされる前記ダウンリンクデータストリームsfbの、前記サブバンドsb上の、
【数２９】
0006037058.tif 000213
によるマッピングを通じて取得される信号対雑音比であり、
【数３０】
0006037058.tif 000214
は、セルmの、前記ユーザ機器によって占有されている前記サブバンドsb上の、スケジューリングの前の時間において使用されている重みであり、
【数３１】
0006037058.tif 000215
は、前記セルmの、前記ユーザ機器によって占有されている前記サブバンドsb上の、前の時間の伝送電力であり、
【数３２】
0006037058.tif 000216
は、前記セルmの、前記サブバンドsb上の、アップリンクチャネル推定値である請求項12に記載の装置。
【請求項１４】
前記CQI情報は、サービングセルのダウンリンクパイロット信号と前記測定セットの外の干渉雑音電力とに従って算出される信号対雑音比に従って前記ユーザ機器によって取得され、
前記ユーザ機器が、伝送ダイバーシティ方式で前記CQI情報をフィードバックするときに、前記第2の決定ユニットは、
式
【数３３】
0006037058.tif 000217
に従って、前記測定セット内にない前記セルの各サブバンドの、前記ユーザ機器によってフィードバックされる前記ダウンリンクデータストリームに対する、前記干渉雑音電力を決定するように特に構成されるか、または
前記ユーザ機器が、TM8閉ループモードで前記CQI情報をフィードバックするときに、前記第2の決定ユニットは、
式
【数３４】
0006037058.tif 000218
に従って、前記測定セット内にない前記セルの各サブバンドの、前記ユーザ機器によってフィードバックされる前記ダウンリンクデータストリームに対する、前記干渉雑音電力を決定するように特に構成されるか、または
前記ユーザ機器が、TM9閉ループモードで前記CQI情報をフィードバックするときに、前記第2の決定ユニットは、
式
【数３５】
0006037058.tif 000219
に従って、前記測定セット内にない前記セルの各サブバンドの、前記ユーザ機器によってフィードバックされる前記ダウンリンクデータストリームに対する、前記干渉雑音電力を決定するように特に構成され、
Tnumは、基地局の伝送アンテナの量であり、
【数３６】
0006037058.tif 000220
は、前記サービングセルの、前記ユーザ機器によって占有されているサブバンドsb上の、前の時間の伝送電力であり、
【数３７】
0006037058.tif 000221
は、前記サービングセルの、前記サブバンドsb上の、アップリンクチャネル推定値であり、
【数３８】
0006037058.tif 000222
は、前記ユーザ機器の前記サービングセルのセル特有の基準信号CRSの仮想アンテナマッピングVAM行列であり、
【数３９】
0006037058.tif 000223
は、前記ユーザ機器によってフィードバックされるダウンリンクデータストリームsfbの、前記sb上の、プリコーディングベクトルであり、
【数４０】
0006037058.tif 000224
は、前記ユーザ機器によってフィードバックされる前記ダウンリンクデータストリームsfbの、前記サブバンドsb上の、
【数４１】
0006037058.tif 000225
によるマッピングを通じて取得される信号対雑音比であり、
【数４２】
0006037058.tif 000226
は、前記サービングセルのチャネル状態情報基準信号CSI-RSのVAM行列である請求項12に記載の装置。
【請求項１５】
前記第2の決定ユニットは、
前記測定セット内の各セルの各サブバンドの前記アップリンクチャネル推定値に従って、前記測定セット内にあるが、前記伝送セット内にない前記セルの各サブバンドの、前記伝送されるべきデータストリームに対する、前記干渉雑音電力を決定し、
前記測定セット内にあるが、前記伝送セット内にない前記セルの各サブバンドの、前記伝送されるべきデータストリームに対する、前記干渉雑音電力に従って、前記測定セット内にない前記セルの各サブバンドの、前記伝送されるべきデータストリームに対する、前記干渉雑音電力を決定し、前記測定セット内にあるが、前記伝送セット内にない前記セルの各サブバンドの、前記伝送されるべきデータストリームに対する、前記干渉雑音電力と前記測定セット内にない前記セルの各サブバンドの、前記伝送されるべきデータストリームに対する、前記干渉雑音電力との比は一定である、ように特に構成される請求項10または11に記載の装置。
【請求項１６】
前記第3の決定ユニットは、
前記伝送されるべきデータストリーム内の各データストリームのSINRと、SINRとMCSとの間のマッピング関係とに従って、各データストリームの前記SINRに最も近くより小さい、前記マッピング関係における、SINRに対応するMCSを各データストリームの前記SINRとして決定するように特に構成される請求項9から15のいずれか一項に記載の装置。
【請求項１７】
受信機、送信機、メモリ、およびプロセッサを備えるデータ伝送のための装置であって、プログラムコードは前記メモリに記憶され、前記プロセッサは前記メモリに記憶されている前記プログラムコードを呼び出して、
前記受信機を使用することによって測定セット内の各セルの各サブバンドのアップリンクチャネル推定値を受信するオペレーションであって、前記測定セット内の各セルの各サブバンドの前記アップリンクチャネル推定値は、ユーザ機器によって送信された基準信号に従って前記測定セット内の各セルによる測定を通じて取得される、オペレーションと、
前記測定セット内の各セルの各サブバンドの前記アップリンクチャネル推定値に従って、伝送セット内のセルによって前記ユーザ機器に送信される伝送されるべきデータストリームの、各サブバンド上の、信号対干渉雑音比SINRを決定するオペレーションであって、前記伝送セットは、前記測定セットのサブセットである、オペレーションと、
前記伝送されるべきデータストリームの、前記サブバンド上の、前記SINRを組み合わせて前記伝送されるべきデータストリームのSINRを取得するオペレーションと、
前記伝送されるべきデータストリームの前記SINRに従って前記伝送されるべきデータストリームの変調符号化方式MCSを決定するオペレーションと、
前記送信機を使用することによって前記伝送されるべきデータストリームの前記MCSを前記伝送セット内の各セルに送信し、それにより、前記伝送セット内の各セルが前記MCSに従って前記伝送されるべきデータストリームを前記ユーザ機器に送信する、オペレーションとを実行する装置。
【請求項１８】
前記プロセッサは前記メモリに記憶されている前記プログラムコードを呼び出して、
前記測定セット内の各セルの各サブバンドの前記アップリンクチャネル推定値に従って、前記伝送セット内の前記セルが各サブバンド上で前記伝送されるべきデータストリームを伝送するときの有効な信号電力を決定し、前記測定セット内にあるが、前記伝送セット内にはないセルの各サブバンドの、前記伝送されるべきデータストリームに対する、干渉雑音電力を決定し、前記測定セット内にないセルの各サブバンドの、前記伝送されるべきデータストリームに対する、干渉雑音電力を決定するオペレーションと、
前記伝送セット内の前記セルが各サブバンド上で前記伝送されるべきデータストリームを伝送するときの前記有効な信号電力と、前記測定セット内にあるが、前記伝送セット内にはないセルの各サブバンドの、前記伝送されるべきデータストリームに対する、前記干渉雑音電力と、前記測定セット内にないセルの各サブバンドの、前記伝送されるべきデータストリームに対する、前記干渉雑音電力とに従って前記伝送されるべきデータストリームの、各サブバンド上の、前記SINRを決定するオペレーションとを特に実行する請求項17に記載の装置。
【請求項１９】
前記プロセッサは前記メモリに記憶されている前記プログラムコードを呼び出して、
前記測定セット内の各セルの各サブバンドの前記アップリンクチャネル推定値に従って、前記伝送セット内の前記セルが各サブバンド上で前記伝送されるべきデータストリームを伝送するときの有効な信号シーケンスを決定し、前記測定セット内にあるが、前記伝送セット内にはないセルの各サブバンドの、前記伝送されるべきデータストリームに対する、干渉シーケンスを決定し、前記測定セット内にないセルの各サブバンドの、前記伝送されるべきデータストリームに対する、干渉雑音電力を決定するオペレーションと、
前記伝送セット内の前記セルが各サブバンド上で前記伝送されるべきデータストリームを伝送するときの前記有効な信号シーケンスと、前記測定セット内にあるが、前記伝送セット内にはないセルの各サブバンドの、前記伝送されるべきデータストリームに対する、前記干渉シーケンスと、前記測定セット内にないセルの各サブバンドの、前記伝送されるべきデータストリームに対する、前記干渉シーケンスとに従って前記伝送されるべきデータストリームの、各サブバンド上の、前記SINRを決定するオペレーションとを特に実行する請求項17に記載の装置。
【請求項２０】
前記プロセッサは前記メモリに記憶されている前記プログラムコードを呼び出して、
前記伝送セット内の各セルによって伝送されたダウンリンクデータストリームに従って前記ユーザ機器によって取得されるチャネル品質インジケータCQI情報を取得するオペレーションと、
前記CQI情報と前記測定セット内の各セルの各サブバンドに対応する前記アップリンクチャネル推定値とに従って、前記測定セット内にない前記セルの各サブバンドの、前記ユーザ機器によってフィードバックされるダウンリンクデータストリームに対する、干渉雑音電力を決定するオペレーションと、
前記測定セット内にない前記セルの各サブバンドの、前記ユーザ機器によってフィードバックされる前記ダウンリンクデータストリームに対する、前記干渉雑音電力に従って、前記測定セット内にない前記セルの各サブバンドの、前記伝送されるべきデータストリームに対する、前記干渉雑音電力を決定するオペレーションとを特に実行する請求項18または19に記載の装置。
【請求項２１】
前記CQI情報は、サービングセルのダウンリンクパイロット信号と前記サービングセルを除く別のセルの干渉雑音電力とに従って算出される信号対雑音比に従って前記ユーザ機器によって取得され、
前記ユーザ機器が、伝送ダイバーシティ方式で前記CQI情報をフィードバックするときに、前記プロセッサは前記メモリに記憶されている前記プログラムコードを呼び出して、
式
【数４３】
0006037058.tif 000227
に従って、前記測定セット内にない前記セルの各サブバンドの、前記ユーザ機器によってフィードバックされる前記ダウンリンクデータストリームに対する、前記干渉雑音電力を決定するオペレーションを特に実行するか、または
前記ユーザ機器が、閉ループモードで前記CQI情報をフィードバックするときに、前記プロセッサは前記メモリに記憶されている前記プログラムコードを呼び出して、
式
【数４４】
0006037058.tif 000228
に従って、前記測定セット内にない前記セルの各サブバンドの、前記ユーザ機器によってフィードバックされる前記ダウンリンクデータストリームに対する、前記干渉雑音電力を決定するオペレーションを特に実行し、
測定セットμM内に合計M個のセルがあり、前記測定セット内のセル数は、m=1,2,...,Mであり、セルは、m=1のときにサービングセルであり、伝送セットμT内に合計T個のセルがあり、前記伝送セット内のセル数は、t=t1,t2,...tTであり、セルは、t=1のときにサービングセルであり、Tnumは、基地局の伝送アンテナの量であり、
【数４５】
0006037058.tif 000229
は、前記サービングセルの、前記ユーザ機器によって占有されているサブバンドsb上の、前の時間の伝送電力であり、
【数４６】
0006037058.tif 000230
は、前記サービングセルの、前記サブバンドsb上の、アップリンクチャネル推定値であり、
【数４７】
0006037058.tif 000231
は、前記ユーザ機器の前記サービングセルのセル特有の基準信号CRSの仮想アンテナマッピング行列であり、
【数４８】
0006037058.tif 000232
は、前記ユーザ機器によってフィードバックされるダウンリンクデータストリームsfbの、前記サブバンドsb上の、プリコーディングベクトルであり、
【数４９】
0006037058.tif 000233
は、前記ユーザ機器によってフィードバックされる前記ダウンリンクデータストリームsfbの、前記サブバンドsb上の、
【数５０】
0006037058.tif 000234
によるマッピングを通じて取得される信号対雑音比であり、
【数５１】
0006037058.tif 000235
は、セルmの、前記ユーザ機器によって占有されている前記サブバンドsb上の、スケジューリングの前の時間において使用されている重みであり、
【数５２】
0006037058.tif 000236
は、前記セルmの、前記ユーザ機器によって占有されている前記サブバンドsb上の、前の時間の伝送電力であり、
【数５３】
0006037058.tif 000237
は、前記セルmの、前記サブバンドsb上の、アップリンクチャネル推定値である請求項20に記載の装置。
【請求項２２】
前記CQI情報は、サービングセルのダウンリンクパイロット信号と前記測定セットの外の干渉雑音電力とに従って算出される信号対雑音比に従って前記ユーザ機器によって取得され、
前記ユーザ機器が、伝送ダイバーシティ方式で前記CQI情報をフィードバックするときに、前記プロセッサは前記メモリに記憶されている前記プログラムコードを呼び出して、
式
【数５４】
0006037058.tif 000238
に従って、前記測定セット内にない前記セルの各サブバンドの、前記ユーザ機器によってフィードバックされる前記ダウンリンクデータストリームに対する、前記干渉雑音電力を決定するオペレーションを特に実行するか、または
前記ユーザ機器が、TM8閉ループモードで前記CQI情報をフィードバックするときに、前記プロセッサは前記メモリに記憶されている前記プログラムコードを呼び出して、
式
【数５５】
0006037058.tif 000239
に従って、前記測定セット内にない前記セルの各サブバンドの、前記ユーザ機器によってフィードバックされる前記ダウンリンクデータストリームに対する、前記干渉雑音電力を決定するオペレーションを特に実行するか、または
前記ユーザ機器が、TM9閉ループモードで前記CQI情報をフィードバックするときに、前記プロセッサは前記メモリに記憶されている前記プログラムコードを呼び出して、
式
【数５６】
0006037058.tif 000240
に従って、前記測定セット内にない前記セルの各サブバンドの、前記ユーザ機器によってフィードバックされる前記ダウンリンクデータストリームに対する、前記干渉雑音電力を決定するオペレーションを特に実行し、
Tnumは、基地局の伝送アンテナの量であり、
【数５７】
0006037058.tif 000241
は、前記サービングセルの、前記ユーザ機器によって占有されているサブバンドsb上の、前の時間の伝送電力であり、
【数５８】
0006037058.tif 000242
は、前記サービングセルの、前記サブバンドsb上の、アップリンクチャネル推定値であり、
【数５９】
0006037058.tif 000243
は、前記ユーザ機器の前記サービングセルのCRSの仮想アンテナマッピングVAM行列であり、
【数６０】
0006037058.tif 000244
は、前記ユーザ機器によってフィードバックされるダウンリンクデータストリームsfbの、前記sb上の、プリコーディングベクトルであり、
【数６１】
0006037058.tif 000245
は、前記ユーザ機器によってフィードバックされる前記ダウンリンクデータストリームsfbの、前記サブバンドsb上の、
【数６２】
0006037058.tif 000246
によるマッピングを通じて取得される信号対雑音比であり、
【数６３】
0006037058.tif 000247
は、前記サービングセルのチャネル状態情報基準信号CSI-RSのVAM行列である請求項20に記載の装置。
【請求項２３】
前記プロセッサは前記メモリに記憶されている前記プログラムコードを呼び出して、
前記測定セット内の各セルの各サブバンドの前記アップリンクチャネル推定値に従って、前記測定セット内にあるが、前記伝送セット内にない前記セルの各サブバンドの、前記伝送されるべきデータストリームに対する、前記干渉雑音電力を決定するオペレーションと、
前記測定セット内にあるが、前記伝送セット内にない前記セルの各サブバンドの、前記伝送されるべきデータストリームに対する、前記干渉雑音電力に従って、前記測定セット内にない前記セルの各サブバンドの、前記伝送されるべきデータストリームに対する、前記干渉雑音電力を決定するオペレーションであって、前記測定セット内にあるが、前記伝送セット内にない前記セルの各サブバンドの、前記伝送されるべきデータストリームに対する、前記干渉雑音電力と前記測定セット内にない前記セルの各サブバンドの、前記伝送されるべきデータストリームに対する、前記干渉雑音電力との比は一定である、オペレーションとを特に実行する請求項18または19に記載の装置。
【請求項２４】
前記プロセッサは前記メモリに記憶されている前記プログラムコードを呼び出して、
前記伝送されるべきデータストリーム内の各データストリームのSINRと、SINRとMCSとの間のマッピング関係とに従って、各データストリームの前記SINRに最も近くより小さい、前記マッピング関係における、SINRに対応するMCSを各データストリームの前記SINRとして決定するオペレーションを特に実行する請求項17から23のいずれか一項に記載の装置。
【発明の詳細な説明】
【技術分野】
【０００１】
本発明は、通信分野に関し、特に、データ伝送のための方法および装置に関する。
【背景技術】
【０００２】
ロングタームエボリューション(Long Term Evolution、略してLTE)プロジェクトは、移動体通信技術の第3世代(3rd-generation、略して3G)から進化したもので、3Gのエアアクセス技術を改善し、機能強化して、セルのエッジユーザのパフォーマンスを改善し、セル容量を増加させ、システム遅延を低減する。LTEアドバンスト(LTE-Advanced、略してLTE-A)は、LTEのその後の進化版であり、LTEとの完全な互換性を有する。多くの新しい技術、たとえば、中継技術、協調マルチポイント伝送、およびキャリアアグリゲーションがLTE-Aに導入され、これにより、ユーザに、ネットワークエクスペリエンスの向上を提供し、より柔軟なネットワーク構成を提供する。一般的に、LTEおよびLTE-Aは、LTE技術と総称される。
【０００３】
LTE技術において、ダウンリンクチャネルへの適応を高めるために、ユーザ機器は、ダウンリンクチャネルのチャネル品質インジケータ(Channel quality index、略してCQI)をフィードバックする必要があり、基地局は、ダウンリンクデータを伝送するために、ユーザ機器によってフィードバックされたCQIに従って、適切な変調符号化方式(modulation coding scheme、略してMCS)を選択する。このように、ダウンリンクチャネルの品質が完全に利用され、伝送効率が最大化され得る。
【０００４】
CQIを算出するときに、ユーザ機器は、基地局のダウンリンクデータの伝送モードを予め想定することを必要とし、想定された伝送方式に従ってCQIを算出し、そのCQIを基地局にフィードバックする。しかし、ダウンリンク伝送を実行するときに、基地局が別の伝送モードを使用することがあり、このことが正確なダウンリンクCQIが取得され得ないという状況を引き起こし、したがって、適切なMCSが、ダウンリンクデータを伝送すると判定され得ない。その結果、ダウンリンクチャネルの品質は、完全には利用され得ず、伝送効率が影響を受ける。
【発明の概要】
【発明が解決しようとする課題】
【０００５】
本発明の実施形態は、ダウンリンク伝送効率を改善することができる、データ伝送のための方法および装置を実現する。
【課題を解決するための手段】
【０００６】
第1の態様によれば、データ伝送のための方法が提供され、この方法は、
測定セット(measurement set)内の各セルの各サブバンドのアップリンクチャネル推定値を決定するステップであって、測定セット内の各セルの各サブバンドのアップリンクチャネル推定値は、ユーザ機器によって送信された基準信号に従って測定セット内の各セルによる測定を通じて取得される、ステップと、
測定セット内の各セルの各サブバンドのアップリンクチャネル推定値に従って、伝送セット(transmission set)内のセルによってユーザ機器に送信される伝送されるべき(to-be-transmitted)データストリームの、各サブバンド上の、信号対干渉雑音比(signal to interference plus noise ratio)SINRを決定するステップであって、伝送セットは、測定セットのサブセットである、ステップと、
伝送されるべきデータストリームの、サブバンド上の、SINRを組み合わせて伝送されるべきデータストリームのSINRを取得するステップと、
伝送されるべきデータストリームのSINRに従って伝送されるべきデータストリームの変調符号化方式MCSを決定し、それにより、伝送セット内の各セルは、MCSに従って伝送されるべきデータストリームをユーザ機器に送信する、ステップとを含む。
【０００７】
第1の態様に関して、第1の態様の第1の可能な実装方式において、伝送セット内のセルによってユーザ機器に送信される伝送されるべきデータストリームの、各サブバンド上の、SINRを決定するステップは、
測定セット内の各セルの各サブバンドのアップリンクチャネル推定値に従って、伝送セット内のセルが各サブバンド上で伝送されるべきデータストリームを伝送するときの有効な信号電力を決定し、測定セット内にあるが、伝送セット内にはないセルの各サブバンドの、伝送されるべきデータストリームに対する、干渉雑音電力を決定し、測定セット内にないセルの各サブバンドの、伝送されるべきデータストリームに対する、干渉雑音電力を決定するステップと、
伝送セット内のセルが各サブバンド上で伝送されるべきデータストリームを伝送するときの有効な信号電力と、測定セット内にあるが、伝送セット内にはないセルの各サブバンドの、伝送されるべきデータストリームに対する、干渉雑音電力と、測定セット内にないセルの各サブバンドの、伝送されるべきデータストリームに対する、干渉雑音電力とに従って伝送されるべきデータストリームの、各サブバンド上の、SINRを決定するステップとを含む。
【０００８】
第1の態様に関して、第1の態様の第2の可能な実装方式において、伝送セット内のセルによってユーザ機器に送信される伝送されるべきデータストリームの、各サブバンド上の、SINRを決定するステップは、
測定セット内の各セルの各サブバンドのアップリンクチャネル推定値に従って、伝送セット内のセルが各サブバンド上で伝送されるべきデータストリームを伝送するときの有効な信号シーケンス(signal sequence)を決定し、測定セット内にあるが、伝送セット内にはないセルの各サブバンドの、伝送されるべきデータストリームに対する、干渉シーケンスを決定し、測定セット内にないセルの各サブバンドの、伝送されるべきデータストリームに対する、干渉雑音電力を決定するステップと、
伝送セット内のセルが各サブバンド上で伝送されるべきデータストリームを伝送するときの有効な信号シーケンスと、測定セット内にあるが、伝送セット内にはないセルの各サブバンドの、伝送されるべきデータストリームに対する、干渉シーケンスと、測定セット内にないセルの各サブバンドの、伝送されるべきデータストリームに対する、干渉シーケンスとに従って伝送されるべきデータストリームの、各サブバンド上の、SINRを決定するステップとを含む。
【０００９】
第1の態様の第1の可能な実装方式または第1の態様の第2の可能な実装方式に関して、第1の態様の第3の可能な実装方式において、測定セット内にないセルの各サブバンドの、伝送されるべきデータストリームに対する、干渉雑音電力を決定するステップは、
伝送セット内の各セルによって伝送されたダウンリンクデータストリームに従ってユーザ機器によって取得されるチャネル品質インジケータCQI情報を取得するステップと、
CQI情報と測定セット内の各セルの各サブバンドに対応するアップリンクチャネル推定値とに従って、測定セット内にないセルの各サブバンドの、ユーザ機器によってフィードバックされるダウンリンクデータストリームに対する、干渉雑音電力を決定するステップと、
測定セット内にないセルの各サブバンドの、ユーザ機器によってフィードバックされるダウンリンクデータストリームに対する、干渉雑音電力に従って、測定セット内にないセルの各サブバンドの、伝送されるべきデータストリームに対する、干渉雑音電力を決定するステップとを含む。
【００１０】
第1の態様の第3の可能な実装方式に関して、第1の態様の第4の可能な実装方式において、CQI情報は、サービングセルのダウンリンクパイロット信号とサービングセルを除く別のセルの干渉雑音電力とに従って算出される信号対雑音比に従ってユーザ機器によって取得され、
ユーザ機器が、伝送ダイバーシティ方式でCQI情報をフィードバックするときに、測定セット内にないセルの各サブバンドの、ユーザ機器によってフィードバックされるダウンリンクデータストリームに対する、干渉雑音電力を決定するステップは、
式
【００１１】
【数１】
0006037058.tif 000002
【００１２】
に従って、測定セット内にないセルの各サブバンドの、ユーザ機器によってフィードバックされるダウンリンクデータストリームに対する、干渉雑音電力を決定するステップを含むか、または
ユーザ機器が、閉ループモードでCQI情報をフィードバックするときに、測定セット内にないセルの各サブバンドの、ユーザ機器によってフィードバックされるダウンリンクデータストリームに対する、干渉雑音電力を決定するステップは、
式
【００１３】
【数２】
0006037058.tif 000003
【００１４】
に従って、測定セット内にないセルの各サブバンドの、ユーザ機器によってフィードバックされるダウンリンクデータストリームに対する、干渉雑音電力を決定するステップを含み、
測定セットμMには合計M個のセルがあり、測定セット内のセル数はm=1,2,...,Mであり、セルは、m=1のときにサービングセルであり、伝送セットμT内に合計T個のセルがあり、伝送セット内のセル数は、t=t1,t2,...tTであり、セルは、t=1のときにサービングセルであり、Tnumは、基地局の伝送アンテナの量であり、
【００１５】
【数３】
0006037058.tif 000004
【００１６】
は、サービングセルの、ユーザ機器によって占有されているサブバンドsb上の、前の時間の伝送電力であり、
【００１７】
【数４】
0006037058.tif 000005
【００１８】
は、サービングセルの、サブバンドsb上の、アップリンクチャネル推定値であり、
【００１９】
【数５】
0006037058.tif 000006
【００２０】
は、ユーザ機器のサービングセルのセル特有の基準信号CRSの仮想アンテナマッピング行列であり、
【００２１】
【数６】
0006037058.tif 000007
【００２２】
は、ユーザ機器によってフィードバックされるダウンリンクデータストリームsfbの、サブバンドsb上の、プリコーディングベクトルであり、
【００２３】
【数７】
0006037058.tif 000008
【００２４】
は、ユーザ機器によってフィードバックされるダウンリンクデータストリームsfbの、サブバンドsb上の、
【００２５】
【数８】
0006037058.tif 000009
【００２６】
によるマッピングを通じて取得される信号対雑音比であり、
【００２７】
【数９】
0006037058.tif 000010
【００２８】
は、セルmの、ユーザ機器によって占有されているサブバンドsb上の、スケジューリングの前の時間において使用されている重みであり、
【００２９】
【数１０】
0006037058.tif 000011
【００３０】
は、セルmの、ユーザ機器によって占有されているサブバンドsb上の、前の時間の伝送電力であり、
【００３１】
【数１１】
0006037058.tif 000012
【００３２】
は、セルmの、サブバンドsb上の、アップリンクチャネル推定値である。
【００３３】
第1の態様の第3の可能な実装方式に関して、第1の態様の第5の可能な実装方式において、CQI情報は、サービングセルのダウンリンクパイロット信号と測定セットの外の干渉雑音電力とに従って算出される信号対雑音比に従ってユーザ機器によって取得され、
ユーザ機器が、伝送ダイバーシティ方式でCQI情報をフィードバックするときに、測定セット内にないセルの各サブバンドの、ユーザ機器によってフィードバックされるダウンリンクデータストリームに対する、干渉雑音電力を決定するステップは、
式
【００３４】
【数１２】
0006037058.tif 000013
【００３５】
に従って、測定セット内にないセルの各サブバンドの、ユーザ機器によってフィードバックされるダウンリンクデータストリームに対する、干渉雑音電力を決定するステップを含むか、または
ユーザ機器が、TM8閉ループモードでCQI情報をフィードバックするときに、測定セット内にないセルの各サブバンドの、ユーザ機器によってフィードバックされるダウンリンクデータストリームに対する、干渉雑音電力を決定するステップは、
式
【００３６】
【数１３】
0006037058.tif 000014
【００３７】
に従って、測定セット内にないセルの各サブバンドの、ユーザ機器によってフィードバックされるダウンリンクデータストリームに対する、干渉雑音電力を決定するステップを含むか、または
ユーザ機器が、TM9閉ループモードでCQI情報をフィードバックするときに、測定セット内にないセルの各サブバンドの、ユーザ機器によってフィードバックされるダウンリンクデータストリームに対する、干渉雑音電力を決定するステップは、
式
【００３８】
【数１４】
0006037058.tif 000015
【００３９】
に従って、測定セット内にないセルの各サブバンドの、ユーザ機器によってフィードバックされるダウンリンクデータストリームに対する、干渉雑音電力を決定するステップを含み、
Tnumは、基地局の伝送アンテナの量であり、
【００４０】
【数１５】
0006037058.tif 000016
【００４１】
は、サービングセルの、ユーザ機器によって占有されているサブバンドsb上の、前の時間の伝送電力であり、
【００４２】
【数１６】
0006037058.tif 000017
【００４３】
は、サービングセルの、サブバンドsb上の、アップリンクチャネル推定値であり、
【００４４】
【数１７】
0006037058.tif 000018
【００４５】
は、ユーザ機器のサービングセルのCRSのVAM行列であり、
【００４６】
【数１８】
0006037058.tif 000019
【００４７】
は、ユーザ機器によってフィードバックされるダウンリンクデータストリームsfbの、sb上の、プリコーディングベクトルであり、
【００４８】
【数１９】
0006037058.tif 000020
【００４９】
は、ユーザ機器によってフィードバックされるダウンリンクデータストリームsfbの、サブバンドsb上の、
【００５０】
【数２０】
0006037058.tif 000021
【００５１】
によるマッピングを通じて取得される信号対干渉雑音比であり、
【００５２】
【数２１】
0006037058.tif 000022
【００５３】
は、サービングセルのチャネル状態情報基準信号CSI-RSのVAM行列である。
【００５４】
第1の態様の第1の可能な実装方式または第2の可能な実装方式に関して、第1の態様の第6の可能な実装方式において、測定セット内にないセルの各サブバンドの、伝送されるべきデータストリームに対する、SINRを決定するステップは、
測定セット内の各セルの各サブバンドのアップリンクチャネル推定値に従って、測定セット内にあるが、伝送セット内にないセルの各サブバンドの、伝送されるべきデータストリームに対する、干渉雑音電力を決定するステップと、
測定セット内にあるが、伝送セット内にないセルの各サブバンドの、伝送されるべきデータストリームに対する、干渉雑音電力に従って、測定セット内にないセルの各サブバンドの、伝送されるべきデータストリームに対する、干渉雑音電力を決定するステップであって、測定セット内にあるが、伝送セット内にないセルの各サブバンドの、伝送されるべきデータストリームに対する、干渉雑音電力と測定セット内にないセルの各サブバンドの、伝送されるべきデータストリームに対する、干渉雑音電力との比は一定である、ステップとを含む。
【００５５】
第1の態様、第1の態様の第1の可能な実装方式、第1の態様の第2の可能な実装方式、第1の態様の第3の可能な実装方式、第1の態様の第4の可能な実装方式、第1の態様の第5の可能な実装方式、または第1の態様の第6の可能な実装方式に関して、第1の態様の第7の可能な実装方式において、伝送されるべきデータストリームのMCSを決定するステップは、
伝送されるべきデータストリーム内の各データストリームのSINRと、SINRとMCSとの間のマッピング関係とに従って、各データストリームのSINRに最も近くより小さい、マッピング関係における、SINRに対応するMCSを各データストリームのSINRとして決定するステップを含む。
【００５６】
第2の態様によれば、データ伝送のための装置が実現され、この装置は
測定セット内の各セルの各サブバンドのアップリンクチャネル推定値を決定するように構成された第1の決定ユニットであって、測定セット内の各セルの各サブバンドのアップリンクチャネル推定値は、ユーザ機器によって送信された基準信号に従って測定セット内の各セルによる測定を通じて取得される、第1の決定ユニットと、
測定セット内の各セルの各サブバンドのアップリンクチャネル推定値に従って、伝送セット内のセルによってユーザ機器に送信される伝送されるべきデータストリームの、各サブバンド上の、信号対干渉雑音比SINRを決定するように構成された第2の決定ユニットであって、伝送セットは、測定セットのサブセットである、第2の決定ユニットと、
伝送されるべきデータストリームの、サブバンド上の、SINRを組み合わせて伝送されるべきデータストリームのSINRを取得するように構成された取得ユニットと、
伝送されるべきデータストリームのSINRに従って伝送されるべきデータストリームの変調符号化方式MCSを決定し、それにより、伝送セット内の各セルは、MCSに従って伝送されるべきデータストリームをユーザ機器に送信する、ように構成された第3の決定ユニットとを備える。
【００５７】
第2の態様に関して、第2の態様の第1の可能な実装方式において、第2の決定ユニットは、
測定セット内の各セルの各サブバンドのアップリンクチャネル推定値に従って、伝送セット内のセルが各サブバンド上で伝送されるべきデータストリームを伝送するときの有効な信号電力を決定し、測定セット内にあるが、伝送セット内にはないセルの各サブバンドの、伝送されるべきデータストリームに対する、干渉雑音電力を決定し、測定セット内にないセルの各サブバンドの、伝送されるべきデータストリームに対する、干渉雑音電力を決定し、
伝送セット内のセルが各サブバンド上で伝送されるべきデータストリームを伝送するときの有効な信号電力と、測定セット内にあるが、伝送セット内にはないセルの各サブバンドの、伝送されるべきデータストリームに対する、干渉雑音電力と、測定セット内にないセルの各サブバンドの、伝送されるべきデータストリームに対する、干渉雑音電力とに従って伝送されるべきデータストリームの、各サブバンド上の、SINRを決定するように特に構成される。
【００５８】
第2の態様に関して、第2の態様の第2の可能な実装方式において、第2の決定ユニットは、
測定セット内の各セルの各サブバンドのアップリンクチャネル推定値に従って、伝送セット内のセルが各サブバンド上で伝送されるべきデータストリームを伝送するときの有効な信号シーケンスを決定し、測定セット内にあるが、伝送セット内にはないセルの各サブバンドの、伝送されるべきデータストリームに対する、干渉シーケンスを決定し、測定セット内にないセルの各サブバンドの、伝送されるべきデータストリームに対する、干渉雑音電力を決定し、
伝送セット内のセルが各サブバンド上で伝送されるべきデータストリームを伝送するときの有効な信号シーケンスと、測定セット内にあるが、伝送セット内にはないセルの各サブバンドの、伝送されるべきデータストリームに対する、干渉シーケンスと、測定セット内にないセルの各サブバンドの、伝送されるべきデータストリームに対する、干渉シーケンスとに従って伝送されるべきデータストリームの、各サブバンド上の、SINRを決定するように特に構成される。
【００５９】
第2の態様の第1の可能な実装方式または第2の態様の第2の可能な実装方式に関して、第2の態様の第3の可能な実装方式において、第2の決定ユニットは、
伝送セット内の各セルによって伝送されたダウンリンクデータストリームに従ってユーザ機器によって取得されるチャネル品質インジケータCQI情報を取得し、
CQI情報と測定セット内の各セルの各サブバンドに対応するアップリンクチャネル推定値とに従って、測定セット内にないセルの各サブバンドの、ユーザ機器によってフィードバックされるダウンリンクデータストリームに対する、干渉雑音電力を決定し、
測定セット内にないセルの各サブバンドの、ユーザ機器によってフィードバックされるダウンリンクデータストリームに対する、干渉雑音電力に従って、測定セット内にないセルの各サブバンドの、伝送されるべきデータストリームに対する、干渉雑音電力を決定するように特に構成される。
【００６０】
第2の態様の第3の可能な実装方式に関して、第2の態様の第4の可能な実装方式において、CQI情報は、サービングセルのダウンリンクパイロット信号とサービングセルを除く別のセルの干渉雑音電力とに従って算出される信号対雑音比に従ってユーザ機器によって取得され、
ユーザ機器が、伝送ダイバーシティ方式でCQI情報をフィードバックするときに、第2の決定ユニットは、
式
【００６１】
【数２２】
0006037058.tif 000023
【００６２】
に従って、測定セット内にないセルの各サブバンドの、ユーザ機器によってフィードバックされるダウンリンクデータストリームに対する、干渉雑音電力を決定するように特に構成されるか、または
ユーザ機器が、閉ループモードでCQI情報をフィードバックするときに、第2の決定ユニットは、
式
【００６３】
【数２３】
0006037058.tif 000024
【００６４】
に従って、測定セット内にないセルの各サブバンドの、ユーザ機器によってフィードバックされるダウンリンクデータストリームに対する、干渉雑音電力を決定するように特に構成され、
測定セットμM内に合計M個のセルがあり、測定セット内のセル数は、m=1,2,...,Mであり、セルは、m=1のときにサービングセルであり、伝送セットμT内に合計T個のセルがあり、伝送セット内のセル数は、t=t1,t2,...tTであり、セルは、t=1のときにサービングセルであり、Tnumは、基地局の伝送アンテナの量であり、
【００６５】
【数２４】
0006037058.tif 000025
【００６６】
は、サービングセルの、ユーザ機器によって占有されているサブバンドsb上の、前の時間の伝送電力であり、
【００６７】
【数２５】
0006037058.tif 000026
【００６８】
は、サービングセルの、サブバンドsb上の、アップリンクチャネル推定値であり、
【００６９】
【数２６】
0006037058.tif 000027
【００７０】
は、ユーザ機器のサービングセルのCRSの仮想アンテナマッピング行列であり、
【００７１】
【数２７】
0006037058.tif 000028
【００７２】
は、ユーザ機器によってフィードバックされるダウンリンクデータストリームsfbの、サブバンドsb上の、プリコーディングベクトルであり、
【００７３】
【数２８】
0006037058.tif 000029
【００７４】
は、ユーザ機器によってフィードバックされるダウンリンクデータストリームsfbの、サブバンドsb上の、
【００７５】
【数２９】
0006037058.tif 000030
【００７６】
によるマッピングを通じて取得される信号対雑音比であり、
【００７７】
【数３０】
0006037058.tif 000031
【００７８】
は、セルmの、ユーザ機器によって占有されているサブバンドsb上の、スケジューリングの前の時間において使用されている重みであり、
【００７９】
【数３１】
0006037058.tif 000032
【００８０】
は、セルmの、ユーザ機器によって占有されているサブバンドsb上の、前の時間の伝送電力であり、
【００８１】
【数３２】
0006037058.tif 000033
【００８２】
は、セルmの、サブバンドsb上の、アップリンクチャネル推定値である。
【００８３】
第2の態様の第3の可能な実装方式に関して、第2の態様の第5の可能な実装方式において、CQI情報は、サービングセルのダウンリンクパイロット信号と測定セットの外の干渉雑音電力とに従って算出される信号対雑音比に従ってユーザ機器によって取得され、
ユーザ機器が、伝送ダイバーシティ方式でCQI情報をフィードバックするときに、第2の決定ユニットは、
式
【００８４】
【数３３】
0006037058.tif 000034
【００８５】
に従って、測定セット内にないセルの各サブバンドの、ユーザ機器によってフィードバックされるダウンリンクデータストリームに対する、干渉雑音電力を決定するように特に構成されるか、または
ユーザ機器が、TM8閉ループモードでCQI情報をフィードバックするときに、第2の決定ユニットは、
式
【００８６】
【数３４】
0006037058.tif 000035
【００８７】
に従って、測定セット内にないセルの各サブバンドの、ユーザ機器によってフィードバックされるダウンリンクデータストリームに対する、干渉雑音電力を決定するように特に構成されるか、または
ユーザ機器が、TM9閉ループモードでCQI情報をフィードバックするときに、第2の決定ユニットは、
式
【００８８】
【数３５】
0006037058.tif 000036
【００８９】
に従って、測定セット内にないセルの各サブバンドの、ユーザ機器によってフィードバックされるダウンリンクデータストリームに対する、干渉雑音電力を決定するように特に構成され、
Tnumは、基地局の伝送アンテナの量であり、
【００９０】
【数３６】
0006037058.tif 000037
【００９１】
は、サービングセルの、ユーザ機器によって占有されているサブバンドsb上の、前の時間の伝送電力であり、
【００９２】
【数３７】
0006037058.tif 000038
【００９３】
は、サービングセルの、サブバンドsb上の、アップリンクチャネル推定値であり、
【００９４】
【数３８】
0006037058.tif 000039
【００９５】
は、ユーザ機器のサービングセルのセル特有の基準信号CRSのVAM行列であり、
【００９６】
【数３９】
0006037058.tif 000040
【００９７】
は、ユーザ機器によってフィードバックされるダウンリンクデータストリームsfbの、sb上の、プリコーディングベクトルであり、
【００９８】
【数４０】
0006037058.tif 000041
【００９９】
は、ユーザ機器によってフィードバックされるダウンリンクデータストリームsfbの、サブバンドsb上の、
【０１００】
【数４１】
0006037058.tif 000042
【０１０１】
によるマッピングを通じて取得される信号対雑音比であり、
【０１０２】
【数４２】
0006037058.tif 000043
【０１０３】
は、サービングセルのCSI-RSのVAM行列である。
【０１０４】
第2の態様の第1の可能な実装方式または第2の可能な実装方式に関して、第2の態様の第6の可能な実装方式において、第2の決定ユニットは、
測定セット内の各セルの各サブバンドのアップリンクチャネル推定値に従って、測定セット内にあるが、伝送セット内にないセルの各サブバンドの、伝送されるべきデータストリームに対する、干渉雑音電力を決定し、
測定セット内にあるが、伝送セット内にないセルの各サブバンドの、伝送されるべきデータストリームに対する、干渉雑音電力に従って、測定セット内にないセルの各サブバンドの、伝送されるべきデータストリームに対する、干渉雑音電力を決定し、測定セット内にあるが、伝送セット内にないセルの各サブバンドの、伝送されるべきデータストリームに対する、干渉雑音電力と測定セット内にないセルの各サブバンドの、伝送されるべきデータストリームに対する、干渉雑音電力との比は一定である、ように特に構成される。
【０１０５】
第2の態様、第2の態様の第1の可能な実装方式、第2の態様の第2の可能な実装方式、第2の態様の第3の可能な実装方式、第2の態様の第4の可能な実装方式、第2の態様の第5の可能な実装方式、または第2の態様の第6の可能な実装方式に関して、第2の態様の第7の可能な実装方式において、第3の決定ユニットは、
伝送されるべきデータストリーム内の各データストリームのSINRと、SINRとMCSとの間のマッピング関係とに従って、各データストリームのSINRに最も近くより小さい、マッピング関係における、SINRに対応するMCSを各データストリームのSINRとして決定するように特に構成される。
【０１０６】
第3の態様によれば、受信機、送信機、メモリ、およびプロセッサを備えるデータ伝送のための装置が実現され、プログラムコードがメモリに記憶され、プロセッサはメモリに記憶されているプログラムコードを呼び出して、
受信機を使用することによって測定セット内の各セルの各サブバンドのアップリンクチャネル推定値を受信するオペレーションであって、測定セット内の各セルの各サブバンドのアップリンクチャネル推定値は、ユーザ機器によって送信された基準信号に従って測定セット内の各セルによる測定を通じて取得される、オペレーションと、
測定セット内の各セルの各サブバンドのアップリンクチャネル推定値に従って、伝送セット内のセルによってユーザ機器に送信される伝送されるべきデータストリームの、各サブバンド上の、信号対干渉雑音比SINRを決定するオペレーションであって、伝送セットは、測定セットのサブセットである、オペレーションと、
伝送されるべきデータストリームの、サブバンド上の、SINRを組み合わせて伝送されるべきデータストリームのSINRを取得するオペレーションと、
伝送されるべきデータストリームのSINRに従って伝送されるべきデータストリームの変調符号化方式MCSを決定するオペレーションと、
送信機を使用することによって伝送されるべきデータストリームのMCSを伝送セット内の各セルに送信し、それにより、伝送セット内の各セルがMCSに従って伝送されるべきデータストリームをユーザ機器に送信する、オペレーションとを実行する。
【０１０７】
第3の態様に関して、第3の態様の第1の可能な実装方式において、プロセッサはメモリに記憶されているプログラムコードを呼び出して、
測定セット内の各セルの各サブバンドのアップリンクチャネル推定値に従って、伝送セット内のセルが各サブバンド上で伝送されるべきデータストリームを伝送するときの有効な信号電力を決定し、測定セット内にあるが、伝送セット内にはないセルの各サブバンドの、伝送されるべきデータストリームに対する、干渉雑音電力を決定し、測定セット内にないセルの各サブバンドの、伝送されるべきデータストリームに対する、干渉雑音電力を決定するオペレーションと、
伝送セット内のセルが各サブバンド上で伝送されるべきデータストリームを伝送するときの有効な信号電力と、測定セット内にあるが、伝送セット内にはないセルの各サブバンドの、伝送されるべきデータストリームに対する、干渉雑音電力と、測定セット内にないセルの各サブバンドの、伝送されるべきデータストリームに対する、干渉雑音電力とに従って伝送されるべきデータストリームの、各サブバンド上の、SINRを決定するオペレーションとを特に実行する。
【０１０８】
第3の態様に関して、第3の態様の第2の可能な実装方式において、プロセッサはメモリに記憶されているプログラムコードを呼び出して、
測定セット内の各セルの各サブバンドのアップリンクチャネル推定値に従って、伝送セット内のセルが各サブバンド上で伝送されるべきデータストリームを伝送するときの有効な信号シーケンスを決定し、測定セット内にあるが、伝送セット内にはないセルの各サブバンドの、伝送されるべきデータストリームに対する、干渉シーケンスを決定し、測定セット内にないセルの各サブバンドの、伝送されるべきデータストリームに対する、干渉雑音電力を決定するオペレーションと、
伝送セット内のセルが各サブバンド上で伝送されるべきデータストリームを伝送するときの有効な信号シーケンスと、測定セット内にあるが、伝送セット内にはないセルの各サブバンドの、伝送されるべきデータストリームに対する、干渉シーケンスと、測定セット内にないセルの各サブバンドの、伝送されるべきデータストリームに対する、干渉シーケンスとに従って伝送されるべきデータストリームの、各サブバンド上の、SINRを決定するオペレーションとを特に実行する。
【０１０９】
第3の態様の第1の可能な実装方式または第3の態様の第2の可能な実装方式に関して、第3の態様の第3の可能な実装方式において、プロセッサはメモリに記憶されているプログラムコードを呼び出して、
伝送セット内の各セルによって伝送されたダウンリンクデータストリームに従ってユーザ機器によって取得されるチャネル品質インジケータCQI情報を取得するオペレーションと、
CQI情報と測定セット内の各セルの各サブバンドに対応するアップリンクチャネル推定値とに従って、測定セット内にないセルの各サブバンドの、ユーザ機器によってフィードバックされるダウンリンクデータストリームに対する、干渉雑音電力を決定するオペレーションと、
測定セット内にないセルの各サブバンドの、ユーザ機器によってフィードバックされるダウンリンクデータストリームに対する、干渉雑音電力に従って、測定セット内にないセルの各サブバンドの、伝送されるべきデータストリームに対する、干渉雑音電力を決定するオペレーションとを特に実行する。
【０１１０】
第3の態様の第3の可能な実装方式に関して、第3の態様の第4の可能な実装方式において、CQI情報は、サービングセルのダウンリンクパイロット信号とサービングセルを除く別のセルの干渉雑音電力とに従って算出される信号対雑音比に従ってユーザ機器によって取得され、
ユーザ機器が、伝送ダイバーシティ方式でCQI情報をフィードバックするときに、プロセッサはメモリに記憶されているプログラムコードを呼び出して、
式
【０１１１】
【数４３】
0006037058.tif 000044
【０１１２】
に従って、測定セット内にないセルの各サブバンドの、ユーザ機器によってフィードバックされるダウンリンクデータストリームに対する、干渉雑音電力を決定するオペレーションを特に実行するか、または
ユーザ機器が、閉ループモードでCQI情報をフィードバックするときに、プロセッサはメモリに記憶されているプログラムコードを呼び出して、
式
【０１１３】
【数４４】
0006037058.tif 000045
【０１１４】
に従って、測定セット内にないセルの各サブバンドの、ユーザ機器によってフィードバックされるダウンリンクデータストリームに対する、干渉雑音電力を決定するオペレーションを特に実行し、
測定セットμM内に合計M個のセルがあり、測定セット内のセル数は、m=1,2,...,Mであり、セルは、m=1のときにサービングセルであり、伝送セットμT内に合計T個のセルがあり、伝送セット内のセル数は、t=t1,t2,...tTであり、セルは、t=1のときにサービングセルであり、Tnumは、基地局の伝送アンテナの量であり、
【０１１５】
【数４５】
0006037058.tif 000046
【０１１６】
は、サービングセルの、ユーザ機器によって占有されているサブバンドsb上の、前の時間の伝送電力であり、
【０１１７】
【数４６】
0006037058.tif 000047
【０１１８】
は、サービングセルの、サブバンドsb上の、アップリンクチャネル推定値であり、
【０１１９】
【数４７】
0006037058.tif 000048
【０１２０】
は、ユーザ機器のサービングセルのセル特有の基準信号CRSの仮想アンテナマッピング行列であり、
【０１２１】
【数４８】
0006037058.tif 000049
【０１２２】
は、ユーザ機器によってフィードバックされるダウンリンクデータストリームsfbの、サブバンドsb上の、プリコーディングベクトルであり、
【０１２３】
【数４９】
0006037058.tif 000050
【０１２４】
は、ユーザ機器によってフィードバックされるダウンリンクデータストリームsfbの、サブバンドsb上の、
【０１２５】
【数５０】
0006037058.tif 000051
【０１２６】
によるマッピングを通じて取得される信号対雑音比であり、
【０１２７】
【数５１】
0006037058.tif 000052
【０１２８】
は、セルmの、ユーザ機器によって占有されているサブバンドsb上の、スケジューリングの前の時間において使用されている重みであり、
【０１２９】
【数５２】
0006037058.tif 000053
【０１３０】
は、セルmの、ユーザ機器によって占有されているサブバンドsb上の、前の時間の伝送電力であり、
【０１３１】
【数５３】
0006037058.tif 000054
【０１３２】
は、セルmの、サブバンドsb上の、アップリンクチャネル推定値である。
【０１３３】
第3の態様の第3の可能な実装方式に関して、第3の態様の第5の可能な実装方式において、CQI情報は、サービングセルのダウンリンクパイロット信号と測定セットの外の干渉雑音電力とに従って算出される信号対雑音比に従ってユーザ機器によって取得され、
ユーザ機器が、伝送ダイバーシティ方式でCQI情報をフィードバックするときに、プロセッサはメモリに記憶されているプログラムコードを呼び出して、
式
【０１３４】
【数５４】
0006037058.tif 000055
【０１３５】
に従って、測定セット内にないセルの各サブバンドの、ユーザ機器によってフィードバックされるダウンリンクデータストリームに対する、干渉雑音電力を決定するオペレーションを特に実行するか、または
ユーザ機器が、TM8閉ループモードでCQI情報をフィードバックするときに、プロセッサはメモリに記憶されているプログラムコードを呼び出して、
式
【０１３６】
【数５５】
0006037058.tif 000056
【０１３７】
に従って、測定セット内にないセルの各サブバンドの、ユーザ機器によってフィードバックされるダウンリンクデータストリームに対する、干渉雑音電力を決定するオペレーションを特に実行するか、または
ユーザ機器が、TM9閉ループモードでCQI情報をフィードバックするときに、プロセッサはメモリに記憶されているプログラムコードを呼び出して、
式
【０１３８】
【数５６】
0006037058.tif 000057
【０１３９】
に従って、測定セット内にないセルの各サブバンドの、ユーザ機器によってフィードバックされるダウンリンクデータストリームに対する、干渉雑音電力を決定するオペレーションを特に実行し、
Tnumは、基地局の伝送アンテナの量であり、
【０１４０】
【数５７】
0006037058.tif 000058
【０１４１】
は、サービングセルの、ユーザ機器によって占有されているサブバンドsb上の、前の時間の伝送電力であり、
【０１４２】
【数５８】
0006037058.tif 000059
【０１４３】
は、サービングセルの、サブバンドsb上の、アップリンクチャネル推定値であり、
【０１４４】
【数５９】
0006037058.tif 000060
【０１４５】
は、ユーザ機器のサービングセルのCRSのVAM行列であり、
【０１４６】
【数６０】
0006037058.tif 000061
【０１４７】
は、ユーザ機器によってフィードバックされるダウンリンクデータストリームsfbの、sb上の、プリコーディングベクトルであり、
【０１４８】
【数６１】
0006037058.tif 000062
【０１４９】
は、ユーザ機器によってフィードバックされるダウンリンクデータストリームsfbの、サブバンドsb上の、
【０１５０】
【数６２】
0006037058.tif 000063
【０１５１】
によるマッピングを通じて取得される信号対雑音比であり、
【０１５２】
【数６３】
0006037058.tif 000064
【０１５３】
は、サービングセルのチャネル状態情報基準信号CSI-RSのVAM行列である。
【０１５４】
第3の態様の第1の可能な実装方式または第2の可能な実装方式に関して、第3の態様の第6の可能な実装方式において、プロセッサはメモリに記憶されているプログラムコードを呼び出して、
測定セット内の各セルの各サブバンドのアップリンクチャネル推定値に従って、測定セット内にあるが、伝送セット内にないセルの各サブバンドの、伝送されるべきデータストリームに対する、干渉雑音電力を決定するオペレーションと、
測定セット内にあるが、伝送セット内にないセルの各サブバンドの、伝送されるべきデータストリームに対する、干渉雑音電力に従って、測定セット内にないセルの各サブバンドの、伝送されるべきデータストリームに対する、干渉雑音電力を決定するオペレーションであって、測定セット内にあるが、伝送セット内にないセルの各サブバンドの、伝送されるべきデータストリームに対する、干渉雑音電力と測定セット内にないセルの各サブバンドの、伝送されるべきデータストリームに対する、干渉雑音電力との比は一定である、オペレーションとを特に実行する。
【０１５５】
第3の態様、第3の態様の第1の可能な実装方式、第3の態様の第2の可能な実装方式、第3の態様の第3の可能な実装方式、第3の態様の第4の可能な実装方式、第3の態様の第5の可能な実装方式、または第3の態様の第6の可能な実装方式に関して、第3の態様の第7の可能な実装方式において、プロセッサはメモリに記憶されているプログラムコードを呼び出して、
伝送されるべきデータストリーム内の各データストリームのSINRと、SINRとMCSとの間のマッピング関係とに従って、各データストリームのSINRに最も近くより小さい、マッピング関係における、SINRに対応するMCSを各データストリームのSINRとして決定するオペレーションを特に実行する。
【０１５６】
本発明の実施形態において、アップリンクチャネルは、ユーザ機器によって伝送される基準信号を使用することによって検出され、チャネル推定は、アップリンクチャネルのチャネル推定情報を取得するために、基準信号を使用することによって実行される。アップリンクとダウンリンクとの間の互換性があるため、ダウンリンクデータストリームのSINRは、アップリンクチャネルのチャネル推定情報を使用することによって算出され、ダウンリンクデータストリームを伝送するためのMCSは、ダウンリンクデータストリームのSINRに従って算出され、ダウンリンクMCSは、より正確に算出され、これにより、ダウンリンクMCSがダウンリンクチャネル品質と一致する程度を改善し、それにより、ダウンリンクスペクトル効率を改善することができる。
【０１５７】
本発明の実施形態における技術的ソリューションをより明確に説明するために、以下において、本発明の実施形態の説明に必要な添付図面を簡単に紹介する。明らかに、以下の説明の添付図面は、本発明のいくつかの実施形態を示しているにすぎず、当業者であれば、創造的労力を費やすことなくこれらの添付図面から他の図面を導き出すことができる。
【図面の簡単な説明】
【０１５８】
【図１】本発明の一実施形態によるデータ伝送のための方法の概略フローチャートである。
【図２】本発明の別の実施形態によるデータ伝送のための方法の概略フローチャートである。
【図３】本発明の一実施形態によるデータ伝送のための装置の概略ブロック図である。
【図４】本発明の別の実施形態によるデータ伝送のための装置の概略ブロック図である。
【発明を実施するための形態】
【０１５９】
以下では、本発明の実施形態の添付図面を参照しつつ本発明の実施形態の技術的解決方法について明確に、かつ完全に説明する。明らかに、説明されている実施形態は、本発明の実施形態のすべてではなくむしろ一部である。創造的労力を費やすことなく本発明の実施形態に基づいて当業者が得る他のすべての実施形態は、本発明の保護の範囲内に収まるものとする。
【０１６０】
図1は、本発明の一実施形態によるデータ伝送のための方法100の概略フローチャートである。図1に示されているように、方法100は、以下のステップを含む。
【０１６１】
S110:ユーザ機器からユーザ機器の測定セット内の各セルへの各サブバンドのアップリンクチャネル推定値を決定し、測定セット内の各セルの各サブバンドのアップリンクチャネル推定値は、ユーザ機器によって送信された基準信号に従って測定セット内の各セルによる測定を通じて取得され、基準信号は、サウンディング基準信号(Sounding Reference Signal、略してSRS)であるか、または別の基準信号であってよく、これは本発明の他の実施形態において限定されない。
【０１６２】
S120:測定セット内の各セルの各サブバンドのアップリンクチャネル推定値に従って、伝送セット内のセルによってユーザ機器に送信される伝送されるべきデータストリームの、各サブバンド上の、信号対干渉雑音比(Signal to Interference plus Noise Ratio、略してSINR)を決定し、伝送セットは、測定セットのサブセットである、すなわち、伝送セット内のセルは必ず測定セットに属す。
【０１６３】
S130:伝送されるべきデータストリームの、サブバンド上の、SINRを組み合わせて伝送されるべきデータストリームのSINRを取得する。
【０１６４】
S140:伝送されるべきデータストリームのSINRに従って伝送されるべきデータストリームのMCSを決定し、それにより、伝送セット内の各セルがMCSに従って伝送されるべきデータストリームをユーザ機器に送信する。
【０１６５】
本発明のこの実施形態は、「アップリンクとダウンリンクとの間の互換性」という特徴を有するシステム、たとえば、マイクロ波アクセス回線のための国際相互運用(Worldwide Interoperability for Microwave Access、略して「WIMAX」)システム、またはLTE時分割二重(Time Division Duplexing、略して「TDD」)システムで使用され得る。これらのシステムにおいて、主要な特徴は、アップリンクおよびダウンリンクは、同じ周波数帯を占有し、したがって、アップリンクおよびダウンリンクチャネルが類似のものとみなされ得る点である。この特徴により、ユーザ機器は、基準信号、たとえば、SRSを送信することによってアップリンクチャネルを検出し、基地局は、基準信号を使用することによってアップリンクチャネルのチャネル推定情報を取得する。アップリンクとダウンリンクとの間の互換性があるため、ダウンリンクデータストリームのSINRは、アップリンクチャネルのチャネル推定情報を使用することによって算出され、ダウンリンクデータストリームを伝送するためのMCSは、ダウンリンクデータストリームのSINRに従って算出され、それにより、伝送セット内のセルは、決定されたMCSに従ってダウンリンクデータストリームをユーザ機器に送信することができる。
【０１６６】
具体的に言うと、ユーザ機器は、測定セット内の各セルにSRSを伝送することができ、測定セット内の各セルは、ユーザ機器によって送信されたSRSに従って測定を実行し、それにより、各サブバンドのアップリンクチャネル推定値を取得することができる。次いで、測定セット内のすべてのセルは、別々に取得された各サブバンドのアップリンクチャネル推定値を装置、たとえば、ユーザ機器のサービングセルに対応する基地局に送信することができる。次いで、装置は、測定セット内の各セルの各サブバンドのアップリンクチャネル推定値に従って、伝送セット内のセルによってユーザ機器に送信される各伝送されるべきデータストリームの、各サブバンド上の、SINRを決定することができ、伝送セットは、測定セットのサブセットである。装置は、各伝送されるべきデータストリームの、サブバンド上の、SINRを組み合わせて各伝送されるべきデータストリームのSINRを取得する。次いで、装置は、各伝送されるべきデータストリームのSINRに従って各伝送されるべきデータストリームのMCSを決定し、各伝送されるべきデータストリームのMSCを伝送セット内のセルに通知することができる。したがって、伝送セット内の各セルは、各伝送されるべきデータストリームのMCSに従って対応する伝送されるべきデータストリームを伝送することができる。
【０１６７】
本発明のこの実施形態では、方法100は、ユーザ機器のサービングセルに対応する基地局、または別のセルに対応する基地局によって実行されるか、または基地局から独立した装置によって実行されるものとしてよく、これは、本発明で実装されることを必要とする機能が実装され得るのであれば本発明において限定されない。
【０１６８】
本発明のこの実施形態では、伝送されるべきデータストリーム内の各データストリームのSINRと、SINRとMCSとの間のマッピング関係とに従って、各データストリームのSINRに最も近くより小さい、マッピング関係における、SINRに対応するMCSが、各データストリームのSINRとして決定され得る。
【０１６９】
本発明のこの実施形態では、測定セット内のセルは、ユーザ機器によって伝送される基準信号を受信し、処理することができ、測定情報を互いに交換することができる。固定された割り振り方法が、測定セット内のセルに対して使用され得る、たとえは、測定セットは、ユーザ機器のサービングセルの周りのいくつかのセルを含むか、または測定セットは、ユーザ機器によってフィードバックされるセルの基準信号受信電力(Reference Signal Receiving Power、略してRSRP)に従って|RSRP1-RSRPj|<Thrにより選択されるセルの特定の品質を含むことができ、RSRP1は、サービングセルのRSRPであり、RSRPjは、別のセルのRSRPであり、Thrは閾値である。Thrは、製品を実装する複雑度(たとえば、製品の関係するパラメータを算出する複雑度)に従って決定され得る。製品に対するパフォーマンス要件が高い場合、より大きい値がThrに対して設定され得る。
【０１７０】
本発明のこの実施形態では、伝送セット内のセル同士が、ユーザ機器に対するダウンリンクデータを協調伝送し、伝送セット内のセルは、必ず測定セット内にある。協調伝送方法は多数あるが、一般的に2つの主要なカテゴリ、コヒーレント伝送と非コヒーレント伝送とに分けられる。コヒーレント伝送では、伝送セット内のセルは、伝送重みを算出するためにチャネル情報を互いに交換する必要がある。非コヒーレント伝送では、各セルが伝送重みを個別に算出するだけでよい。
【０１７１】
本発明のこの実施形態では、S120において、伝送セット内のセルによってユーザ機器に送信される伝送されるべきデータストリームの、各サブバンド上の、SINRを決定するステップは、
測定セット内の各セルの各サブバンドのアップリンクチャネル推定値に従って、伝送セット内のセルが各サブバンド上で伝送されるべきデータストリームを伝送するときの有効な信号電力を決定し、測定セット内にあるが、伝送セット内にはないセルの各サブバンドの、伝送されるべきデータストリームに対する、干渉雑音電力を決定し、測定セット内にないセルの各サブバンドの、伝送されるべきデータストリームに対する、干渉雑音電力を決定するステップと、
伝送セット内のセルが各サブバンド上で伝送されるべきデータストリームを伝送するときの有効な信号電力と、測定セット内にあるが、伝送セット内にはないセルの各サブバンドの、伝送されるべきデータストリームに対する、干渉雑音電力と、測定セット内にないセルの各サブバンドの、伝送されるべきデータストリームに対する、干渉雑音電力とに従って伝送されるべきデータストリームの、各サブバンド上の、SINRを決定するステップとを含み得る。
【０１７２】
代替的に、本発明のこの実施形態では、S120において、伝送セット内のセルによってユーザ機器に送信される伝送されるべきデータストリームの、各サブバンド上の、SINRを決定するステップは、
測定セット内の各セルの各サブバンドのアップリンクチャネル推定値に従って、伝送セット内のセルが各サブバンド上で伝送されるべきデータストリームを伝送するときの有効な信号シーケンスを決定し、測定セット内にあるが、伝送セット内にはないセルの各サブバンドの、伝送されるべきデータストリームに対する、干渉シーケンスを決定し、測定セット内にないセルの各サブバンドの、伝送されるべきデータストリームに対する、干渉雑音電力を決定するステップと、
伝送セット内のセルが各サブバンド上で伝送されるべきデータストリームを伝送するときの有効な信号シーケンスと、測定セット内にあるが、伝送セット内にはないセルの各サブバンドの、伝送されるべきデータストリームに対する、干渉シーケンスと、測定セット内にないセルの各サブバンドの、伝送されるべきデータストリームに対する、干渉シーケンスとに従って伝送されるべきデータストリームの、各サブバンド上の、SINRを決定するステップとを含み得る。
【０１７３】
本発明のこの実施形態において、実装を簡単にするため、測定セット内にないセルの各サブバンドの、伝送されるべきデータストリームに対する、干渉雑音電力は、算出することなく直接0に設定されるものとしてよく、測定セット内にないセルの各サブバンドの、伝送されるべきデータストリームに対する、干渉雑音電力を算出するかどうかは、製品を実装する複雑度(たとえば、製品の関係するパラメータを算出する複雑度)に従って決定され得るか、または測定セットのサイズに従って決定され得ることは理解されるであろう。たとえば、測定セット内のセルの量が、所定の値より大きく、測定セット内のセルの量と伝送セット内のセルの量との差が、別の所定の値よりも大きい場合に、測定セット内にないセルの各サブバンドの、伝送されるべきデータストリームに対する、干渉雑音電力は、直接0に設定されるものとしてよく、所定の値は、一般的に3に設定され、別の所定の値は、一般的に2に設定される。特に、所定の値は、実際の状況に応じて決定され得る、たとえば、製品を実装する複雑度(たとえば、製品の関係するパラメータを算出する複雑度)に従って決定され得る。
【０１７４】
測定セット内にないセルの各サブバンドの、伝送されるべきデータストリームに対する、干渉雑音電力が、算出される必要がある場合、適宜、以下の2つの特定の実装方法が使用されるものとしてよく、しかし、これは本発明において限定されない。
【０１７５】
第1の実装方法において、測定セット内にないセルの各サブバンドの、伝送されるべきデータストリームに対する、干渉雑音電力を決定する方法は、
伝送セット内の各セルによって伝送されたダウンリンクデータストリームに従ってユーザ機器によって取得されるCQI情報を取得するステップ、すなわち、ユーザ機器によって基地局に対して推奨されるダウンリンクデータストリームおよびCQIの量を取得するステップと、
CQI情報と測定セット内の各セルの各サブバンドに対応するアップリンクチャネル推定値とに従って、測定セット内にないセルの各サブバンドの、ユーザ機器によってフィードバックされるダウンリンクデータストリームに対する、干渉雑音電力を決定するステップと、
測定セット内にないセルの各サブバンドの、ユーザ機器によってフィードバックされるダウンリンクデータストリームに対する、干渉雑音電力に従って、測定セット内にないセルの各サブバンドの、伝送されるべきデータストリームに対する、干渉雑音電力を決定するステップとを含み得る。
【０１７６】
本発明のこの実施形態では、ユーザ機器は、ユーザ機器によって基地局に対して推奨されるダウンリンクデータストリームおよびCQIの量を基地局にフィードバックする、すなわち、ユーザ機器は、ダウンリンクチャネルステータスに従って、基地局が使用するダウンリンクデータストリームの量を推奨することができ、各ダウンリンクデータストリームは、CQI情報に対応する。
【０１７７】
第2の実装方法において、測定セット内にないセルの各サブバンドの、伝送されるべきデータストリームに対する、SINRを決定する方法は、
測定セット内の各セルの各サブバンドのアップリンクチャネル推定値に従って、測定セット内にあるが、伝送セット内にないセルの各サブバンドの、伝送されるべきデータストリームに対する、干渉雑音電力を決定するステップと、
測定セット内にあるが、伝送セット内にないセルの各サブバンドの、伝送されるべきデータストリームに対する、干渉雑音電力に従って、測定セット内にないセルの各サブバンドの、伝送されるべきデータストリームに対する、干渉雑音電力を決定するステップであって、測定セット内にあるが、伝送セット内にないセルの各サブバンドの、伝送されるべきデータストリームに対する、干渉雑音電力と測定セット内にないセルの各サブバンドの、伝送されるべきデータストリームに対する、干渉雑音電力との比は一定である、ステップとを含み得る。
【０１７８】
したがって、本発明のこの実施形態において、測定セット内の各セルの各サブバンドのアップリンクチャネル推定値が決定され、測定セット内の各セルの各サブバンドのアップリンクチャネル推定値は、ユーザ機器によって送信された基準信号に従って測定セット内の各セルによる測定を通じて取得され、伝送セット内のセルによってユーザ機器に送信される各伝送されるべきデータストリームの、各サブバンド上の、SINRは、測定セット内の各セルの各サブバンドのアップリンクチャネル推定値に従って決定され、伝送セットは、測定セットのサブセットであり、伝送されるべきデータストリームの、サブバンド上の、SINRが組み合わされて、これにより、伝送されるべきデータストリームのSINRを取得し、伝送されるべきデータストリームのMCSは、伝送されるべきデータストリームのSINRに従って決定され、それにより、伝送セット内の各セルがMCSに従って伝送されるべきデータストリームをユーザ機器に送信する。言い換えれば、アップリンクチャネルは、ユーザ機器によって伝送される基準信号を使用することによって検出され、チャネル推定は、アップリンクチャネルのチャネル推定情報を取得するために、基準信号を使用することによって実行される。アップリンクとダウンリンクとの間の互換性があるため、ダウンリンクデータストリームのSINRは、アップリンクチャネルのチャネル推定情報を使用することによって算出され、ダウンリンクデータストリームを伝送するためのMCSは、ダウンリンクデータストリームのSINRに従って算出され、ダウンリンクMCSは、より正確に算出され、これにより、ダウンリンクMCSがダウンリンクチャネル品質と一致する程度を改善し、それにより、ダウンリンクスペクトル効率を改善することができる。
【０１７９】
本発明をより明確に理解するために、以下では、図2を参照しつつ本発明の一実施形態によるデータ伝送のための方法について特に説明する。
【０１８０】
図2は、本発明の一実施形態によるデータ伝送のための方法200の概略フローチャートである。
【０１８１】
方法200において、測定セットμMは、M個のセルを含み、測定セット内のセル数は、m=1,2,...,Mであり、セルm1=1は、ユーザ機器のサービングセルである。伝送セットμTは、T個のセルを含み(T≦M)、伝送セット内のセル数は、t=t1,t2,...tTであり、セルt=1は、ユーザ機器のサービングセルである。測定セットμM内のセルmの、サブバンドsb上の、伝送アンテナの全電力は、
【０１８２】
【数６４】
0006037058.tif 000065
【０１８３】
であり、m=1,2,...,Mである。伝送セットuT内のセルによってターゲットユーザ機器(User Equipment、略して「UE」)に送信されるダウンリンクデータストリームの量はStxであり、ストリーム数は、stx=1,2,...,Stxである。ターゲットUEによってフィードバックされるダウンリンクデータストリームの量は、Sfbであり、ストリーム数は、sfb=1,2,...,Sfbであり、ターゲットUEが伝送ダイバーシティ方式(すなわち、ユーザ機器側で想定する、基地局によって使用される伝送方式は、伝送ダイバーシティ方式である)でCQIをフィードバックするときに、Sfb=1であり、ターゲットUEが閉ループモード(すなわち、ユーザ機器側で想定する、基地局によって使用される伝送方式は、閉ループモードである)でCQIをフィードバックするときに、Sfb≧1である。
【０１８４】
図2に示されているように、方法200は、以下のステップを含み得る。
【０１８５】
S201:測定セット内のセルは、ターゲットUEによって伝送されるSRSを測定して、各セルの各サブバンド(サブバンド幅)のアップリンクチャネル推定行列
【０１８６】
【数６５】
0006037058.tif 000066
【０１８７】
を取得し、m=1,2,...,M、およびsb=1,2,...,NSBであり、NSBは、伝送帯域幅上のSBの総量であり、SBは、1つのリソースブロック(resource block、略してRB)であり得るか、または複数のRBの組合せであり得る。
【０１８８】
S202:測定セット内のセルによってSRSの測定を通じて取得されるアップリンクチャネル推定行列を取得し、ユーザ機器によってフィードバックされるストリームsfbのアップリンクチャネル推定行列および
【０１８９】
【数６６】
0006037058.tif 000067
【０１９０】
に従って、ストリームに対応する測定セットの外のsb上の干渉電力
【０１９１】
【数６７】
0006037058.tif 000068
【０１９２】
を算出する。
【０１９３】
【数６８】
0006037058.tif 000069
【０１９４】
は、サービングセルのダウンリンクパイロット信号と別のセルの全干渉雑音電力とに従って算出される信号対雑音比に従ってターゲットUEによって取得され得るか、または、サービングセルのダウンリンクパイロット信号と測定セットの外の干渉雑音電力とに従って算出される信号対雑音比に従ってターゲットUEによって取得され得る。これらの2つ場合について、以下で詳しく説明されている。
【０１９５】
(1)
【０１９６】
【数６９】
0006037058.tif 000070
【０１９７】
は、サービングセルのダウンリンクパイロット信号と別のセルの全干渉雑音電力とに従って算出される信号対雑音比に従ってターゲットUEによって取得される、すなわち、セービングセルからのすべてが干渉である仮定してターゲットUEによる算出を通じて取得され、全帯域幅であり得るか、またはサブバンドであり得る、すなわち、R10/R9/R8におけるフィードバック方式と理解され得る。
【０１９８】
ターゲットUEの異なるフィードバック方式により、
【０１９９】
【数７０】
0006037058.tif 000071
【０２００】
は、以下のいくつかの場合で算出され得る。
【０２０１】
(a)ターゲットUEが
【０２０２】
【数７１】
0006037058.tif 000072
【０２０３】
を伝送ダイバーシティ方式(Sfb=1)でフィードバックするときに、
【０２０４】
【数７２】
0006037058.tif 000073
【０２０５】
であり、
Tnumは、基地局の伝送アンテナの量であり、すべてのセルは同じ量のアンテナを有し、
【０２０６】
【数７３】
0006037058.tif 000074
【０２０７】
は、サービングセルの、ターゲットUEによって占有されているサブバンドsb上の、前の時間の伝送電力であり、
【０２０８】
【数７４】
0006037058.tif 000075
【０２０９】
は、サービングセルの、サブバンドsb上の、アップリンクチャネル推定値であり、
【０２１０】
【数７５】
0006037058.tif 000076
【０２１１】
は、ターゲットUEのサービングセルのセル特有の基準信号(Cell-specific reference signals、略して「CRS」)の仮想アンテナマッピング行列であり、
【０２１２】
【数７６】
0006037058.tif 000077
【０２１３】
は、ターゲットUEによってフィードバックされるダウンリンクデータストリームsfbの、サブバンドsb上の、
【０２１４】
【数７７】
0006037058.tif 000078
【０２１５】
によるマッピングを通じて取得される信号対雑音比であり、
【０２１６】
【数７８】
0006037058.tif 000079
【０２１７】
は、セルmの、ターゲットUEによって占有されているサブバンドsb上の、スケジューリングの前の時間において使用されている重みであり、
【０２１８】
【数７９】
0006037058.tif 000080
【０２１９】
は、セルmの、ターゲットUEによって占有されているサブバンドsb上の、前の時間の伝送電力であり、
【０２２０】
【数８０】
0006037058.tif 000081
【０２２１】
は、セルmの、サブバンドsb上の、アップリンクチャネル推定値であると想定される。
【０２２２】
(b)ターゲットUEが
【０２２３】
【数８１】
0006037058.tif 000082
【０２２４】
を閉ループモード(Sfb≧1)でフィードバックするときに、
【０２２５】
【数８２】
0006037058.tif 000083
【０２２６】
であり、
【０２２７】
【数８３】
0006037058.tif 000084
【０２２８】
は、ターゲットUEによってフィードバックされるダウンリンクデータストリームsfbの、サブバンドsb上の、プリコーディングベクトルであり、他のパラメータの意味は、(a)におけるパラメータの意味と同じである。
【０２２９】
(2)
【０２３０】
【数８４】
0006037058.tif 000085
【０２３１】
は、サービングセルのダウンリンクパイロット信号と測定セットの外の干渉雑音電力とに従って算出される信号対雑音比に従ってターゲットUEによって取得される、すなわち、サービングセルのダウンリンクパイロットに従ってのみ、また測定セットにおいて干渉がないと想定して、ターゲットUEによる算出を通じて取得され、全帯域幅であり得るか、またはサブバンドであり得る(R11におけるフィードバック方式と理解され得る)。
【０２３２】
ターゲットUEの異なるフィードバック方式により、
【０２３３】
【数８５】
0006037058.tif 000086
【０２３４】
は、以下のいくつかの場合で算出され得る。
【０２３５】
(a)ターゲットUEが
【０２３６】
【数８６】
0006037058.tif 000087
【０２３７】
を伝送ダイバーシティ方式(Sfb=1)でフィードバックするときに、
【０２３８】
【数８７】
0006037058.tif 000088
【０２３９】
であり、
Tnumは、基地局の伝送アンテナの量であり、すべてのセルは同じ量のアンテナを有し、
【０２４０】
【数８８】
0006037058.tif 000089
【０２４１】
は、サービングセルの、ターゲットUEによって占有されているサブバンドsb上の、前の時間の伝送電力であり、
【０２４２】
【数８９】
0006037058.tif 000090
【０２４３】
は、サービングセルの、サブバンドsb上の、アップリンクチャネル推定値であり、
【０２４４】
【数９０】
0006037058.tif 000091
【０２４５】
は、ユーザ機器のサービングセルのCRSの仮想アンテナマッピング(Virtual Antenna Mapping、略してVAM)行列であり、
【０２４６】
【数９１】
0006037058.tif 000092
【０２４７】
は、UEによってフィードバックされるダウンリンクデータストリームsfbの、サブバンドsb上の、プリコーディングベクトルであり、
【０２４８】
【数９２】
0006037058.tif 000093
【０２４９】
は、UEによってフィードバックされるダウンリンクデータストリームsfbの、サブバンドsb上の、
【０２５０】
【数９３】
0006037058.tif 000094
【０２５１】
によるマッピングを通じて取得される信号対雑音比であり、
【０２５２】
【数９４】
0006037058.tif 000095
【０２５３】
は、サービングセルのチャネル状態情報基準信号(Channel State Information、略して「CSI-RS」)のVAM行列であると想定される。
【０２５４】
(b)ターゲットUEが
【０２５５】
【数９５】
0006037058.tif 000096
【０２５６】
をTM8閉ループモード(Sfb≧1)でフィードバックするときに、
【０２５７】
【数９６】
0006037058.tif 000097
【０２５８】
であり、
【０２５９】
【数９７】
0006037058.tif 000098
【０２６０】
は、ターゲットUEによってサービングセルにフィードバックされるデータストリームsfbの、sb上の、PMIであり、他のパラメータの意味は、(a)におけるパラメータの意味と同じである。
【０２６１】
(c)ターゲットUEが
【０２６２】
【数９８】
0006037058.tif 000099
【０２６３】
をTM9閉ループモード(Sfb≧1)でフィードバックするときに、
【０２６４】
【数９９】
0006037058.tif 000100
【０２６５】
であり、
【０２６６】
【数１００】
0006037058.tif 000101
【０２６７】
は、ターゲットUEのサービングセルのCRS-RSのVAM行列であり、一般的に
【０２６８】
【数１０１】
0006037058.tif 000102
【０２６９】
であり、他のパラメータの意味は、(a)および(b)におけるパラメータの意味と同じである。
【０２７０】
S203:すべての伝送されるべきデータストリームstxに対応する測定セットの外の干渉雑音電力行列
【０２７１】
【数１０２】
0006037058.tif 000103
【０２７２】
を構築する。
【０２７３】
以下の方法は、伝送されるべきデータストリームstxに対応する測定セットの外の干渉雑音電力
【０２７４】
【数１０３】
0006037058.tif 000104
【０２７５】
に使用され得る。
【０２７６】
フィードバックされたストリームの量に対応する測定セットの外の干渉雑音電力の平均が算出され、これにより、伝送されるべきデータストリームstxに対応する測定セットの外の干渉雑音電力
【０２７７】
【数１０４】
0006037058.tif 000105
【０２７８】
取得する、すなわち、
【０２７９】
【数１０５】
0006037058.tif 000106
【０２８０】
であり、この場合、測定セットの外の干渉雑音は、すべての伝送されるストリームについて同じである。
【０２８１】
適宜、フィードバックされるストリームの量が、伝送されるべきストリームの量と同じである(すなわち、Stx=Sfb)であるときに、
【０２８２】
【数１０６】
0006037058.tif 000107
【０２８３】
である、
すなわち、各ストリームの干渉雑音電力に従って
【０２８４】
【数１０７】
0006037058.tif 000108
【０２８５】
が取得され得る。
【０２８６】
S204:ターゲットUEの
【０２８７】
【数１０８】
0006037058.tif 000109
【０２８８】
を算出する。
【０２８９】
【数１０９】
0006037058.tif 000110
【０２９０】
を計算する2つの方法について、以下で説明されている。確かに、
【０２９１】
【数１１０】
0006037058.tif 000111
【０２９２】
は、本発明のこの実施形態において限定されない、別の方法使用することによっても算出され得る。
【０２９３】
(1)第1の方法使用することによって取得され得る
【０２９４】
【数１１１】
0006037058.tif 000112
【０２９５】
は、
【０２９６】
【数１１２】
0006037058.tif 000113
【０２９７】
であり、
【０２９８】
【数１１３】
0006037058.tif 000114
【０２９９】
または
【０３００】
【数１１４】
0006037058.tif 000115
【０３０１】
は、本発明のこの実施形態において限定されない、実装の複雑度に従って特に決定され得るか、または
【０３０２】
【数１１５】
0006037058.tif 000116
【０３０３】
がスケジューリングの現在の時間における重みであるかどうかに従って決定されるものとしてよく、
【０３０４】
【数１１６】
0006037058.tif 000117
【０３０５】
が、スケジューリングの現在の時間における重みである場合、
【０３０６】
【数１１７】
0006037058.tif 000118
【０３０７】
、またはそうでなければ
【０３０８】
【数１１８】
0006037058.tif 000119
【０３０９】
であり、
【０３１０】
【数１１９】
0006037058.tif 000120
【０３１１】
は、セルmの、ターゲットUEによって占有されているサブバンドsb上の、伝送重み行列であり、スケジューリングの前の時間において使用される重みであり得るか、またはスケジューリングの現在の時間において使用される重みであるものとしてよく、これは実装の複雑度に従って決定される。
【０３１２】
【数１２０】
0006037058.tif 000121
【０３１３】
のstx番目の列は、
【０３１４】
【数１２１】
0006037058.tif 000122
【０３１５】
であり、これはターゲットUEにサービングセルによって、サブバンドsb上で、伝送されるストリームstxの伝送重みのベクトルを示す。
【０３１６】
適宜、
【０３１７】
【数１２２】
0006037058.tif 000123
【０３１８】
はここで、S202およびS203を使用することによって取得され得るか、または
【０３１９】
【数１２３】
0006037058.tif 000124
【０３２０】
を使用することによって取得されるものとしてよく、
【０３２１】
【数１２４】
0006037058.tif 000125
【０３２２】
は、測定セット内の干渉電力である、すなわち、
【０３２３】
【数１２５】
0006037058.tif 000126
【０３２４】
であり、
βは、測定セットの外の干渉と測定セット内の干渉との比を示す、干渉比係数であり、一般的に定数であってよく、この定数は、エミュレーションまたは経験値を使用することによって取得され得る。
【０３２５】
(2)第2の方法使用することによって取得され得る
【０３２６】
【数１２６】
0006037058.tif 000127
【０３２７】
は、
【０３２８】
【数１２７】
0006037058.tif 000128
【０３２９】
であり、
【０３３０】
【数１２８】
0006037058.tif 000129
【０３３１】
であり、
【０３３２】
【数１２９】
0006037058.tif 000130
【０３３３】
は、αのstx番目の対角線要素であり、
【０３３４】
【数１３０】
0006037058.tif 000131
【０３３５】
、
【０３３６】
【数１３１】
0006037058.tif 000132
【０３３７】
、
【０３３８】
【数１３２】
0006037058.tif 000133
【０３３９】
、または
【０３４０】
【数１３３】
0006037058.tif 000134
【０３４１】
であり、Iは、対角線要素の値が1であり、他の値が0である単位行列である。他のパラメータの意味については、上記の説明を参照されたい。
【０３４２】
適宜、
【０３４３】
【数１３４】
0006037058.tif 000135
【０３４４】
はここで、ステップS202およびS203を使用することによって取得され得るか、または
【０３４５】
【数１３５】
0006037058.tif 000136
【０３４６】
を使用することによって取得されるものとしてよく、
【０３４７】
【数１３６】
0006037058.tif 000137
【０３４８】
は、測定セット内の干渉電力行列である、すなわち、
【０３４９】
【数１３７】
0006037058.tif 000138
【０３５０】
であり、
βは、測定セットの外の干渉と測定セット内の干渉との比を示す、干渉比係数であり、一般的に定数であってよく、この定数は、エミュレーションまたは経験値を使用することによって取得され得る。
【０３５１】
S205:ターゲットUEの占有されている帯域幅上で伝送されるべきデータストリームstxの、サブバンド上で、
【０３５２】
【数１３８】
0006037058.tif 000139
【０３５３】
を組み合わせて、
【０３５４】
【数１３９】
0006037058.tif 000140
【０３５５】
を取得する。組合せの方法では、SB平均方法が使用され得るか、または指数有効SINRマッピング(Exponential Effective SINR Mapping、略してEESM)組合せ方法または別の方法も使用されるものとしてよく、これは本発明のこの実施形態において限定されない。
【０３５６】
S206:ターゲットUEの組み合わされた
【０３５７】
【数１４０】
0006037058.tif 000141
【０３５８】
をMCSレベルLとしてマッピングする。各MCSレベルlは、1つの
【０３５９】
【数１４１】
0006037058.tif 000142
【０３６０】
に対応し、
【０３６１】
【数１４２】
0006037058.tif 000143
【０３６２】
を満たす最大lmaxが探索されるが、ただしL=lmaxである。
【０３６３】
S207:伝送セット内の各セルは、スケジュールされた帯域幅で、選択されたMCSレベルLに従ってダウンリンクデータストリームstxを伝送する。
【０３６４】
方法200におけるステップS202からS206は、ユーザ機器のサービングセルに対応する基地局によって実行され得るか、別のセルに対応する基地局によって実行され得るか、または基地局から独立した装置によって実行されるものとしてよく、これは、本発明で実装されることを必要とする機能が実装され得るのであれば本発明において限定されない。
【０３６５】
したがって、本発明のこの実施形態において、測定セット内の各セルの各サブバンドのアップリンクチャネル推定値が決定され、測定セット内の各セルの各サブバンドのアップリンクチャネル推定値は、ユーザ機器によって送信された基準信号に従って測定セット内の各セルによる測定を通じて取得され、伝送セット内のセルによってユーザ機器に送信される伝送されるべきデータストリームの、各サブバンド上の、SINRは、測定セット内の各セルの各サブバンドのアップリンクチャネル推定値に従って決定され、伝送セットは、測定セットのサブセットであり、伝送されるべきデータストリームの、サブバンド上の、SINRが組み合わされて、これにより、伝送されるべきデータストリームのSINRを取得し、伝送されるべきデータストリームのMCSは、伝送されるべきデータストリームのSINRに従って決定され、それにより、伝送セット内の各セルがMCSに従って伝送されるべきデータストリームをユーザ機器に送信する。言い換えれば、ダウンリンクデータストリームを伝送するためのMCSが決定されるときに、アップリンクチャネルは、ユーザ機器によって伝送される基準信号を使用することによって検出され、チャネル推定は、アップリンクチャネルのチャネル推定情報を取得するために、基準信号を使用することによって実行される。アップリンクとダウンリンクとの間の互換性があるため、ダウンリンクデータストリームのSINRは、アップリンクチャネルのチャネル推定情報を使用することによって算出され、ダウンリンクデータストリームを伝送するためのMCSは、ダウンリンクデータストリームのSINRに従って算出され、ダウンリンクMCSは、より正確に算出され、これにより、ダウンリンクMCSがダウンリンクチャネル品質と一致する程度を改善し、それにより、ダウンリンクスペクトル効率を改善することができる。
【０３６６】
本発明の実施形態によるデータ伝送のための方法については、図1および図2を参照しつつ上で説明されており、本発明の実施形態によるデータ伝送のための装置については、図3および図4を参照しつつ以下で説明される。
【０３６７】
図3は、本発明の一実施形態によるデータ伝送のための装置の概略ブロック図である。図3に示されているように、装置300は、
測定セット内の各セルの各サブバンドのアップリンクチャネル推定値を決定するように構成された第1の決定ユニット310であって、測定セット内の各セルの各サブバンドのアップリンクチャネル推定値は、ユーザ機器によって送信された基準信号に従って測定セット内の各セルによる測定を通じて取得される、第1の決定ユニット310と、
測定セット内の各セルの各サブバンドのアップリンクチャネル推定値に従って、伝送セット内のセルによってユーザ機器に送信される伝送されるべきデータストリームの、各サブバンド上の、SINRを決定するように構成された第2の決定ユニット320であって、伝送セットは、測定セットのサブセットである、第2の決定ユニット320と、
伝送されるべきデータストリームの、サブバンド上の、SINRを組み合わせて伝送されるべきデータストリームのSINRを取得するように構成された取得ユニット330と、
伝送されるべきデータストリームのSINRに従って伝送されるべきデータストリームのMCSを決定し、それにより、伝送セット内の各セルがMCSに従って伝送されるべきデータストリームをユーザ機器に送信する、ように構成された第3の決定ユニット340とを備える。
【０３６８】
適宜、第2の決定ユニット320は、
測定セット内の各セルの各サブバンドのアップリンクチャネル推定値に従って、伝送セット内のセルが各サブバンド上で伝送されるべきデータストリームを伝送するときの有効な信号電力を決定し、測定セット内にあるが、伝送セット内にはないセルの各サブバンドの、伝送されるべきデータストリームに対する、干渉雑音電力を決定し、測定セット内にないセルの各サブバンドの、伝送されるべきデータストリームに対する、干渉雑音電力を決定し、
伝送セット内のセルが各サブバンド上で伝送されるべきデータストリームを伝送するときの有効な信号電力と、測定セット内にあるが、伝送セット内にはないセルの各サブバンドの、伝送されるべきデータストリームに対する、干渉雑音電力と、測定セット内にないセルの各サブバンドの、伝送されるべきデータストリームに対する、干渉雑音電力とに従って伝送されるべきデータストリームの、各サブバンド上の、SINRを決定するように特に構成される。
【０３６９】
適宜、第2の決定ユニット320は、
測定セット内の各セルの各サブバンドのアップリンクチャネル推定値に従って、伝送セット内のセルが各サブバンド上で伝送されるべきデータストリームを伝送するときの有効な信号シーケンスを決定し、測定セット内にあるが、伝送セット内にはないセルの各サブバンドの、伝送されるべきデータストリームに対する、干渉シーケンスを決定し、測定セット内にないセルの各サブバンドの、伝送されるべきデータストリームに対する、干渉雑音電力を決定し、
伝送セット内のセルが各サブバンド上で伝送されるべきデータストリームを伝送するときの有効な信号シーケンスと、測定セット内にあるが、伝送セット内にはないセルの各サブバンドの、伝送されるべきデータストリームに対する、干渉シーケンスと、測定セット内にないセルの各サブバンドの、伝送されるべきデータストリームに対する、干渉シーケンスとに従って各サブバンド上の伝送されるべきデータストリームの、各サブバンド上の、SINRを決定するように特に構成される。
【０３７０】
適宜、第2の決定ユニット320は、
伝送セット内の各セルによって伝送されたダウンリンクデータストリームに従ってユーザ機器によって取得されるCQI情報を取得し、
CQI情報と測定セット内の各セルの各サブバンドに対応するアップリンクチャネル推定値とに従って、測定セット内にないセルの各サブバンドの、ユーザ機器によってフィードバックされるダウンリンクデータストリームに対する、干渉雑音電力を決定し、
測定セット内にないセルの各サブバンドの、ユーザ機器によってフィードバックされるダウンリンクデータストリームに対する、干渉雑音電力に従って、測定セット内にないセルの各サブバンドの、伝送されるべきデータストリームに対する、干渉雑音電力を決定するように特に構成される。
【０３７１】
適宜、CQI情報は、サービングセルのダウンリンクパイロット信号とサービングセルを除く別のセルの干渉雑音電力とに従って算出される信号対雑音比に従ってユーザ機器によって取得され、
ユーザ機器が、伝送ダイバーシティ方式でCQI情報をフィードバックするときに、第2の決定ユニット320は、
式
【０３７２】
【数１４３】
0006037058.tif 000144
【０３７３】
に従って、測定セット内にないセルの各サブバンドの、ユーザ機器によってフィードバックされるダウンリンクデータストリームに対する、干渉雑音電力を決定するように特に構成されるか、または
ユーザ機器が、閉ループモードでCQI情報をフィードバックするときに、第2の決定ユニットは、
式
【０３７４】
【数１４４】
0006037058.tif 000145
【０３７５】
に従って、測定セット内にないセルの各サブバンドの、ユーザ機器によってフィードバックされるダウンリンクデータストリームに対する、干渉雑音電力を決定するように特に構成され、
測定セットμM内に合計M個のセルがあり、測定セット内のセル数は、m=1,2,...,Mであり、セルは、m=1のときにサービングセルであり、伝送セットμT内に合計T個のセルがあり、伝送セット内のセル数は、t=t1,t2,...tTであり、セルは、t=1のときにサービングセルであり、Tnumは、基地局の伝送アンテナの量であり、
【０３７６】
【数１４５】
0006037058.tif 000146
【０３７７】
は、サービングセルの、ユーザ機器によって占有されているサブバンドsb上の、前の時間の伝送電力であり、
【０３７８】
【数１４６】
0006037058.tif 000147
【０３７９】
は、サービングセルの、サブバンドsb上の、アップリンクチャネル推定値であり、
【０３８０】
【数１４７】
0006037058.tif 000148
【０３８１】
は、ユーザ機器のサービングセルのCRSの仮想アンテナマッピング行列であり、
【０３８２】
【数１４８】
0006037058.tif 000149
【０３８３】
は、ユーザ機器によってフィードバックされるダウンリンクデータストリームsfbの、サブバンドsb上の、プリコーディングベクトルであり、
【０３８４】
【数１４９】
0006037058.tif 000150
【０３８５】
は、ユーザ機器によってフィードバックされるダウンリンクデータストリームsfbの、サブバンドsb上の、
【０３８６】
【数１５０】
0006037058.tif 000151
【０３８７】
によるマッピングを通じて取得される信号対雑音比であり、
【０３８８】
【数１５１】
0006037058.tif 000152
【０３８９】
は、セルmの、ユーザ機器によって占有されているサブバンドsb上の、スケジューリングの前の時間において使用されている重みであり、
【０３９０】
【数１５２】
0006037058.tif 000153
【０３９１】
は、セルmの、ユーザ機器によって占有されているサブバンドsb上の、前の時間の伝送電力であり、
【０３９２】
【数１５３】
0006037058.tif 000154
【０３９３】
は、セルmの、サブバンドsb上の、アップリンクチャネル推定値である。
【０３９４】
適宜、CQI情報は、サービングセルのダウンリンクパイロット信号と測定セットの外の干渉雑音電力とに従って算出される信号対雑音比に従ってユーザ機器によって取得され、
ユーザ機器が、伝送ダイバーシティ方式でCQI情報をフィードバックするときに、第2の決定ユニット320は、
式
【０３９５】
【数１５４】
0006037058.tif 000155
【０３９６】
に従って、測定セット内にないセルの各サブバンドの、ユーザ機器によってフィードバックされるダウンリンクデータストリームに対する、干渉雑音電力を決定するように特に構成されるか、
ユーザ機器が、TM8閉ループモードでCQI情報をフィードバックするときに、第2の決定ユニットは、
式
【０３９７】
【数１５５】
0006037058.tif 000156
【０３９８】
に従って、測定セット内にないセルの各サブバンドの、ユーザ機器によってフィードバックされるダウンリンクデータストリームに対する、干渉雑音電力を決定するように特に構成されるか、または
ユーザ機器が、TM9閉ループモードでCQI情報をフィードバックするときに、第2の決定ユニットは、
式
【０３９９】
【数１５６】
0006037058.tif 000157
【０４００】
に従って、測定セット内にないセルの各サブバンドの、ユーザ機器によってフィードバックされるダウンリンクデータストリームに対する、干渉雑音電力を決定するように特に構成され、
Tnumは、基地局の伝送アンテナの量であり、
【０４０１】
【数１５７】
0006037058.tif 000158
【０４０２】
は、サービングセルの、ユーザ機器によって占有されているサブバンドsb上の、前の時間の伝送電力であり、
【０４０３】
【数１５８】
0006037058.tif 000159
【０４０４】
は、サービングセルの、サブバンドsb上の、アップリンクチャネル推定値であり、V1CRSは、ユーザ機器のサービングセルのCRSのVAM行列であり、
【０４０５】
【数１５９】
0006037058.tif 000160
【０４０６】
は、ユーザ機器によってフィードバックされるダウンリンクデータストリームsfbの、sb上の、プリコーディングベクトルであり、
【０４０７】
【数１６０】
0006037058.tif 000161
【０４０８】
は、ユーザ機器によってフィードバックされるダウンリンクデータストリームsfbの、サブバンドsb上の、
【０４０９】
【数１６１】
0006037058.tif 000162
【０４１０】
によるマッピングを通じて取得される信号対雑音比であり、
【０４１１】
【数１６２】
0006037058.tif 000163
【０４１２】
は、サービングセルのCSI-RSのVAM行列である。
【０４１３】
適宜、第2の決定ユニット320は、
測定セット内の各セルの各サブバンドのアップリンクチャネル推定値に従って、測定セット内にあるが、伝送セット内にないセルの各サブバンドの、伝送されるべきデータストリームに対する、干渉雑音電力を決定し、
測定セット内にあるが、伝送セット内にないセルの各サブバンドの、伝送されるべきデータストリームに対する、干渉雑音電力に従って、測定セット内にないセルの各サブバンドの、伝送されるべきデータストリームに対する、干渉雑音電力を決定し、測定セット内にあるが、伝送セット内にないセルの各サブバンドの、伝送されるべきデータストリームに対する、干渉雑音電力と測定セット内にないセルの各サブバンドの、伝送されるべきデータストリームに対する、干渉雑音電力との比は一定である、ように特に構成される。
【０４１４】
適宜、第3の決定ユニット340は、
伝送されるべきデータストリーム内の各データストリームのSINRと、SINRとMCSとの間のマッピング関係とに従って、各データストリームのSINRに最も近くより小さい、マッピング関係における、SINRに対応するMCSを各データストリームのSINRとして決定するように特に構成される。
【０４１５】
本発明の実施形態によるデータ伝送のための装置300内のユニットの前述のおよび他のオペレーションおよび/または機能は、別々に、図1および図2における方法の対応する手順を実装するためのものであることは理解されるであろう。簡単にするため、詳細は再びここに提示されていない。
【０４１６】
したがって、本発明のこの実施形態において、測定セット内の各セルの各サブバンドのアップリンクチャネル推定値が決定され、測定セット内の各セルの各サブバンドのアップリンクチャネル推定値は、ユーザ機器によって送信された基準信号に従って測定セット内の各セルによる測定を通じて取得され、伝送セット内のセルによってユーザ機器に送信される伝送されるべきデータストリームの、各サブバンド上の、SINRは、測定セット内の各セルの各サブバンドのアップリンクチャネル推定値に従って決定され、伝送セットは、測定セットのサブセットであり、伝送されるべきデータストリームの、サブバンド上の、SINRが組み合わされて、これにより、伝送されるべきデータストリームのSINRを取得し、伝送されるべきデータストリームのMCSは、伝送されるべきデータストリームのSINRに従って決定され、それにより、伝送セット内の各セルがMCSに従って伝送されるべきデータストリームをユーザ機器に送信する。言い換えれば、アップリンクチャネルは、ユーザ機器によって伝送される基準信号を使用することによって検出され、チャネル推定は、アップリンクチャネルのチャネル推定情報を取得するために、基準信号を使用することによって実行される。アップリンクとダウンリンクとの間の互換性があるため、ダウンリンクデータストリームのSINRは、アップリンクチャネルのチャネル推定情報を使用することによって算出され、ダウンリンクデータストリームを伝送するためのMCSは、ダウンリンクデータストリームのSINRに従って算出され、ダウンリンクMCSは、より正確に算出され、これにより、ダウンリンクMCSがダウンリンクチャネル品質と一致する程度を改善し、それにより、ダウンリンクスペクトル効率を改善することができる。
【０４１７】
図4は、本発明の一実施形態によるデータ伝送のための装置400の概略ブロック図である。図4に示されているように、装置400は、受信機410、送信機420、メモリ430、ならびに受信機410、送信機420、およびメモリ430に別々に接続されているプロセッサ440を備える。確かに、装置は、アンテナなどの汎用部分と、入力/出力部分とをさらに備えることができ、これは本発明のこの実施形態において限定されない。
【０４１８】
プログラムコードはメモリ430に記憶され、プロセッサ440はメモリ430に記憶されているプログラムコードを呼び出して、
受信機410を使用することによって測定セット内の各セルの各サブバンドのアップリンクチャネル推定値を受信するオペレーションであって、測定セット内の各セルの各サブバンドのアップリンクチャネル推定値は、ユーザ機器によって送信された基準信号に従って測定セット内の各セルによる測定を通じて取得される、オペレーションと、
測定セット内の各セルの各サブバンドのアップリンクチャネル推定値に従って、伝送セット内のセルによってユーザ機器に送信される伝送されるべきデータストリームの、各サブバンド上の、信号対干渉雑音比SINRを決定するオペレーションであって、伝送セットは、測定セットのサブセットである、オペレーションと、
伝送されるべきデータストリームの、サブバンド上の、SINRを組み合わせて伝送されるべきデータストリームのSINRを取得するオペレーションと、
伝送されるべきデータストリームのSINRに従って伝送されるべきデータストリームの変調符号化方式MCSを決定するオペレーションと、
送信機440を使用することによって伝送されるべきデータストリームのMCSを伝送セット内の各セルに送信し、それにより、伝送セット内の各セルがMCSに従って伝送されるべきデータストリームをユーザ機器に送信するオペレーションとを実行することができる。
【０４１９】
適宜、プロセッサ440はメモリ430に記憶されているプログラムコードを呼び出して、
測定セット内の各セルの各サブバンドのアップリンクチャネル推定値に従って、伝送セット内のセルが各サブバンド上で伝送されるべきデータストリームを伝送するときの有効な信号電力を決定し、測定セット内にあるが、伝送セット内にはないセルの各サブバンドの、伝送されるべきデータストリームに対する、干渉雑音電力を決定し、測定セット内にないセルの各サブバンドの、伝送されるべきデータストリームに対する、干渉雑音電力を決定するオペレーションと、
伝送セット内のセルが各サブバンド上で伝送されるべきデータストリームを伝送するときの有効な信号電力と、測定セット内にあるが、伝送セット内にはないセルの各サブバンドの、伝送されるべきデータストリームに対する、干渉雑音電力と、測定セット内にないセルの各サブバンドの、伝送されるべきデータストリームに対する、干渉雑音電力とに従って各サブバンド上の伝送されるべきデータストリームの、各サブバンド上の、SINRを決定するオペレーションとを特に実行することができる。
【０４２０】
適宜、プロセッサ440はメモリ430に記憶されているプログラムコードを呼び出して、
測定セット内の各セルの各サブバンドのアップリンクチャネル推定値に従って、伝送セット内のセルが各サブバンド上で伝送されるべきデータストリームを伝送するときの有効な信号シーケンスを決定し、測定セット内にあるが、伝送セット内にはないセルの各サブバンドの、伝送されるべきデータストリームに対する、干渉シーケンスを決定し、測定セット内にないセルの各サブバンドの、伝送されるべきデータストリームに対する、干渉雑音電力を決定するオペレーションと、
伝送セット内のセルが各サブバンド上で伝送されるべきデータストリームを伝送するときの有効な信号シーケンスと、測定セット内にあるが、伝送セット内にはないセルの各サブバンドの、伝送されるべきデータストリームに対する、干渉シーケンスと、測定セット内にないセルの各サブバンドの、伝送されるべきデータストリームに対する、干渉シーケンスとに従って各サブバンド上の伝送されるべきデータストリームの、各サブバンド上の、SINRを決定するオペレーションとを特に実行することができる。
【０４２１】
適宜、プロセッサ440はメモリ430に記憶されているプログラムコードを呼び出して、
伝送セット内の各セルによって伝送されたダウンリンクデータストリームに従ってユーザ機器によって取得されるCQI情報を取得するオペレーションと、
CQI情報と測定セット内の各セルの各サブバンドに対応するアップリンクチャネル推定値とに従って、測定セット内にないセルの各サブバンドの、ユーザ機器によってフィードバックされるダウンリンクデータストリームに対する、干渉雑音電力を決定するオペレーションと、
測定セット内にないセルの各サブバンドの、ユーザ機器によってフィードバックされるダウンリンクデータストリームに対する、干渉雑音電力に従って、測定セット内にないセルの各サブバンドの、伝送されるべきデータストリームに対する、干渉雑音電力を決定するオペレーションとを特に実行することができる。
【０４２２】
適宜、CQI情報は、サービングセルのダウンリンクパイロット信号とサービングセルを除く別のセルの干渉雑音電力とに従って算出される信号対雑音比に従ってユーザ機器によって取得され、
ユーザ機器が、伝送ダイバーシティ方式でCQI情報をフィードバックするときに、プロセッサ440はメモリ430に記憶されているプログラムコードを呼び出して、
式
【０４２３】
【数１６３】
0006037058.tif 000164
【０４２４】
に従って、測定セット内にないセルの各サブバンドの、ユーザ機器によってフィードバックされるダウンリンクデータストリームに対する、干渉雑音電力を決定するオペレーションを特に実行することができるか、または
ユーザ機器が、閉ループモードでCQI情報をフィードバックするときに、プロセッサ440はメモリ430に記憶されているプログラムコードを呼び出して、
式
【０４２５】
【数１６４】
0006037058.tif 000165
【０４２６】
に従って、測定セット内にないセルの各サブバンドの、ユーザ機器によってフィードバックされるダウンリンクデータストリームに対する、干渉雑音電力を決定するオペレーションを特に実行することができ、
測定セットμM内に合計M個のセルがあり、測定セット内のセル数は、m=1,2,...,Mであり、セルは、t=1のときにサービングセルであり、伝送セットμT内に合計T個のセルがあり、伝送セット内のセル数は、t=t1,t2,...tTであり、セルは、t=1のときにサービングセルであり、Tnumは、基地局の伝送アンテナの量であり、
【０４２７】
【数１６５】
0006037058.tif 000166
【０４２８】
は、サービングセルの、ユーザ機器によって占有されているサブバンドsb上の、前の時間の伝送電力であり、
【０４２９】
【数１６６】
0006037058.tif 000167
【０４３０】
は、サービングセルの、サブバンドsb上の、アップリンクチャネル推定値であり、
【０４３１】
【数１６７】
0006037058.tif 000168
【０４３２】
は、ユーザ機器のサービングセルのCRSの仮想アンテナマッピング行列であり、
【０４３３】
【数１６８】
0006037058.tif 000169
【０４３４】
は、ユーザ機器によってフィードバックされるダウンリンクデータストリームsfbの、サブバンドsb上の、プリコーディングベクトルであり、
【０４３５】
【数１６９】
0006037058.tif 000170
【０４３６】
は、ユーザ機器によってフィードバックされるダウンリンクデータストリームsfbの、サブバンドsb上の、
【０４３７】
【数１７０】
0006037058.tif 000171
【０４３８】
によるマッピングを通じて取得される信号対雑音比であり、
【０４３９】
【数１７１】
0006037058.tif 000172
【０４４０】
は、セルmの、ユーザ機器によって占有されているサブバンドsb上の、スケジューリングの前の時間において使用されている重みであり、
【０４４１】
【数１７２】
0006037058.tif 000173
【０４４２】
は、セルmの、ユーザ機器によって占有されているサブバンドsb上の、前の時間の伝送電力であり、
【０４４３】
【数１７３】
0006037058.tif 000174
【０４４４】
は、セルmの、サブバンドsb上の、アップリンクチャネル推定値である。
【０４４５】
適宜、CQI情報は、サービングセルのダウンリンクパイロット信号と測定セットの外の干渉雑音電力とに従って算出される信号対雑音比に従ってユーザ機器によって取得され、
ユーザ機器が、伝送ダイバーシティ方式でCQI情報をフィードバックするときに、プロセッサ440はメモリ430に記憶されているプログラムコードを呼び出して、
式
【０４４６】
【数１７４】
0006037058.tif 000175
【０４４７】
に従って、測定セット内にないセルの各サブバンドの、ユーザ機器によってフィードバックされるダウンリンクデータストリームに対する、干渉雑音電力を決定するオペレーションを特に実行することができるか、または
ユーザ機器が、TM8閉ループモードでCQI情報をフィードバックするときに、プロセッサ440はメモリ430に記憶されているプログラムコードを呼び出して、
式
【０４４８】
【数１７５】
0006037058.tif 000176
【０４４９】
に従って、測定セット内にないセルの各サブバンドの、ユーザ機器によってフィードバックされるダウンリンクデータストリームに対する、干渉雑音電力を決定するオペレーションを特に実行することができるか、または
ユーザ機器が、TM9閉ループモードでCQI情報をフィードバックするときに、第2の決定ユニットは、
式
【０４５０】
【数１７６】
0006037058.tif 000177
【０４５１】
に従って、測定セット内にないセルの各サブバンドの、ユーザ機器によってフィードバックされるダウンリンクデータストリームに対する、干渉雑音電力を決定するように特に構成され、
Tnumは、基地局の伝送アンテナの量であり、
【０４５２】
【数１７７】
0006037058.tif 000178
【０４５３】
は、サービングセルの、ユーザ機器によって占有されているサブバンドsb上の、前の時間の伝送電力であり、
【０４５４】
【数１７８】
0006037058.tif 000179
【０４５５】
は、サービングセルの、サブバンドsb上の、アップリンクチャネル推定値であり、
【０４５６】
【数１７９】
0006037058.tif 000180
【０４５７】
は、ユーザ機器のサービングセルのCRSのVAM行列であり、
【０４５８】
【数１８０】
0006037058.tif 000181
【０４５９】
は、ユーザ機器によってフィードバックされるダウンリンクデータストリームsfbの、sb上の、プリコーディングベクトルであり、
【０４６０】
【数１８１】
0006037058.tif 000182
【０４６１】
は、ユーザ機器によってフィードバックされるダウンリンクデータストリームsfbの、サブバンドsb上の、
【０４６２】
【数１８２】
0006037058.tif 000183
【０４６３】
によるマッピングを通じて取得される信号対雑音比であり、
【０４６４】
【数１８３】
0006037058.tif 000184
【０４６５】
は、サービングセルのCSI-RSのVAM行列である。
【０４６６】
適宜、プロセッサ440はメモリ430に記憶されているプログラムコードを呼び出して、
測定セット内の各セルの各サブバンドのアップリンクチャネル推定値に従って、測定セット内にあるが、伝送セット内にないセルの各サブバンドの、伝送されるべきデータストリームに対する、干渉雑音電力を決定するオペレーションと、
測定セット内にあるが、伝送セット内にないセルの各サブバンドの、伝送されるべきデータストリームに対する、干渉雑音電力に従って、測定セット内にないセルの各サブバンドの、伝送されるべきデータストリームに対する、干渉雑音電力を決定するオペレーションであって、測定セット内にあるが、伝送セット内にないセルの各サブバンドの、伝送されるべきデータストリームに対する、干渉雑音電力と測定セット内にないセルの各サブバンドの、伝送されるべきデータストリームに対する、干渉雑音電力との比は一定である、オペレーションとを特に実行することができる。
【０４６７】
適宜、プロセッサ440はメモリ430に記憶されているプログラムコードを呼び出して、
伝送されるべきデータストリーム内の各データストリームのSINRと、SINRとMCSとの間のマッピング関係とに従って、各データストリームのSINRに最も近くより小さい、マッピング関係における、SINRに対応するMCSを各データストリームのSINRとして決定するオペレーションを特に実行することができる。
【０４６８】
本発明の実施形態によるデータ伝送のための装置300内のユニットの前述のおよび他のオペレーションおよび/または機能は、別々に、図1および図2における方法の対応する手順を実装するためのものであることは理解されるであろう。簡単にするため、詳細は再びここに提示されていない。
【０４６９】
したがって、本発明のこの実施形態において、測定セット内の各セルの各サブバンドのアップリンクチャネル推定値が決定され、測定セット内の各セルの各サブバンドのアップリンクチャネル推定値は、ユーザ機器によって送信された基準信号に従って測定セット内の各セルによる測定を通じて取得され、伝送セット内のセルによってユーザ機器に送信される各伝送されるべきデータストリームの、各サブバンド上の、SINRは、測定セット内の各セルの各サブバンドのアップリンクチャネル推定値に従って決定され、伝送セットは、測定セットのサブセットであり、伝送されるべきデータストリームの、サブバンド上の、SINRが組み合わされて、これにより、伝送されるべきデータストリームのSINRを取得し、伝送されるべきデータストリームのMCSは、伝送されるべきデータストリームのSINRに従って決定され、それにより、伝送セット内の各セルがMCSに従って伝送されるべきデータストリームをユーザ機器に送信する。言い換えれば、アップリンクチャネルは、ユーザ機器によって伝送される基準信号を使用することによって検出され、チャネル推定は、アップリンクチャネルのチャネル推定情報を取得するために、基準信号を使用することによって実行される。アップリンクとダウンリンクとの間の互換性があるため、ダウンリンクデータストリームのSINRは、アップリンクチャネルのチャネル推定情報を使用することによって算出され、ダウンリンクデータストリームを伝送するためのMCSは、ダウンリンクデータストリームのSINRに従って算出され、ダウンリンクMCSは、より正確に算出され、これにより、ダウンリンクMCSがダウンリンクチャネル品質と一致する程度を改善し、それにより、ダウンリンクスペクトル効率を改善することができる。
【０４７０】
当業者であれば、本明細書で開示されている実施形態で説明されている例と組み合わせることで、方法ステップおよびユニットは、電子ハードウェア、コンピュータソフトウェア、またはこれらの組合せによって実装され得ることに気づくことができる。ハードウェアとソフトウェアとの間の互換性を明確に説明するために、前述の説明では、機能に従って各実施形態のステップおよび構成について説明している。これらの機能が、ハードウェアによって実行されるのか、ソフトウェアによって実行されるのかは、特定の用途および技術的解決手段の設計上の制約条件で決まる。当業者は、それぞれの特定の用途に対して説明されている機能を実装するために異なる方法を使用することができるが、その実装は、本発明の範囲を超えるものと考えられるべきでない。
【０４７１】
本明細書で開示されている実施形態において説明されている方法またはステップは、ハードウェア、プロセッサによって実行されるソフトウェアプログラム、またはこれらの組合せによって実装され得る。ソフトウェアプログラムは、ランダムアクセスメモリ(RAM)、メモリ、リードオンリーメモリ(ROM)、電気的プログラム可能ROM、電気的消去可能プログラム可能ROM、レジスタ、ハードディスク、取り外し可能ディスク、CD-ROM、または当技術分野で知られている他の形態の記憶媒体に常駐し得る。
【０４７２】
本発明は、添付図面を参照しつつ、例示的な実施形態と組み合わせて詳細に説明されているが、本発明はそれに限定されない。本発明の精神および本質から逸脱することなく本発明の実施形態に対して当業者によってさまざまな同等の修正または置換が行われるものとしてよく、これらの修正または置換は、本発明の範囲内にあるものとする。
【符号の説明】
【０４７３】
100  方法
200  方法
300  装置
310  第1の決定ユニット
320  第2の決定ユニット
330  取得ユニット
340  第3の決定ユニット
400  装置
410  受信機
420  送信機
430  メモリ
440  プロセッサ
【図１】
0006037058.tif 000248
【図２】
0006037058.tif 000249
【図３】
0006037058.tif 000250
【図４】
0006037058.tif 000251